(57)【特許請求の範囲】
【請求項１】
移動端末機において、
無線通信を提供するように構成される無線通信部と、
タッチスクリーンと、
前記移動端末機の動きを感知するように構成されるモーションセンサと、
前記タッチスクリーンの第１の領域に第１のスクリーンを表示し、
前記タッチスクリーンを通じた第１のタッチ−ドラッグ入力と前記モーションセンサを通じて感知された前記移動端末機の回転との組み合わせを受け取り、当該第１のタッチ−ドラッグ入力は、前記タッチスクリーンを通じて前記移動端末機の回転によって行われ、
前記第１のタッチ−ドラッグ入力と前記移動端末機の回転との組み合わせに応答して、前記第１の領域上の前記第１のスクリーンの表示を維持しながら、前記タッチスクリーンの第２の領域上に第２のスクリーンを新たに表示し、当該第２のスクリーンは、前記移動端末機上で発生したイベントに関する情報を有する、ように構成される制御部と、を有し、
前記第２の領域は、第１の方向における前記第１のタッチ−ドラッグ入力の距離に対応する前記タッチスクリーンの拡張された領域であり、
前記第１のタッチ−ドラッグ入力の距離が予め設定された距離より小さい場合、前記拡張された領域は、前記第１の領域に隣接し、
前記第１のタッチ−ドラッグ入力の距離が予め設定された距離より大きい場合、前記拡張された領域は、前記第１の領域から前記第１の方向に離隔する、移動端末機。
【請求項２】
前記制御部は、
前記イベントを示す第１のインジケーターを前記第１のスクリーンに表示し、前記第１のタッチ−ドラッグ入力は、当該第１のインジケーターから開始され、
前記第１のインジケーターに対応するイベント関連情報を前記第２のスクリーン上に表示する、ようにさらに構成される、請求項１に記載の移動端末機。
【請求項３】
前記制御部は、
前記移動端末機で発生した複数のイベントに関するイベント関連情報を前記拡張された第２のスクリーン上に順次表示するようにさらに構成される、請求項２に記載の移動端末機。
【請求項４】
前記制御部は、
前記第１のタッチ−ドラッグ入力が第２の方向に動く場合、前記第２のスクリーンの増加したサイズを維持するようにさらに構成される、請求項１に記載の移動端末機。
【請求項５】
前記制御部は、
前記第２の領域に、前記イベントの同一のカテゴリーを有する前記移動端末機で発生した後続イベントに関連する情報を表示するようにさらに構成される、請求項１に記載の移動端末機。
【請求項６】
前記制御部は、
前記第１のタッチ−ドラッグ入力が進められることによって、前記予め設定された距離の到達の有無を示すグラフィック表現を表示するようにさらに構成される、請求項１に記載の移動端末機。
【請求項７】
前記グラフィック表現は、前記第１の領域と前記第２の領域との間に表示される、請求項６に記載の移動端末機。
【請求項８】
前記制御部は、
前記移動端末機上で前記第１の方向に前記第１のタッチ−ドラッグ入力が行われることを示す視覚効果を表示するようにさらに構成される、請求項１に記載の移動端末機。
【請求項９】
前記制御部は、
前記第１のタッチ−ドラッグ入力が解除された後、前記視覚効果への第２のタッチ−ドラッグ入力を受け取り、
前記第２のタッチ−ドラッグ入力の領域の周辺に前記視覚効果を表示するのを止めるようにさらに構成される、請求項８に記載の移動端末機。
【請求項１０】
前記移動端末機は、前記タッチスクリーンが外周面に沿って配置されるウェアラブル腕輪形態である、請求項１に記載の移動端末機。
【請求項１１】
タッチスクリーンの第１の領域に第１のスクリーンを表示する段階と、
移動端末機のタッチスクリーンを通じた第１のタッチ−ドラッグ入力とモーションセンサを通じて感知された前記移動端末機の回転との組み合わせを受け取る段階であって、当該第１のタッチ−ドラッグ入力は、前記タッチスクリーンを通じて前記移動端末機の回転によって行われる段階と、
前記移動端末機の制御部によって、前記第１のタッチ−ドラッグ入力と前記移動端末機の回転との組み合わせに応答して、前記第１の領域上の前記第１のスクリーンの表示を維持しながら、前記タッチスクリーンの第２の領域上に第２のスクリーンを新たに表示する段階であって、当該第２のスクリーンは、前記移動端末機上で発生したイベントに関する情報を有する段階と、を有し、
前記第２の領域は、第１の方向における前記第１のタッチ−ドラッグ入力の距離に対応する前記タッチスクリーンの拡張された領域であり、
前記第１のタッチ−ドラッグ入力の距離が予め設定された距離より小さい場合、前記拡張された領域は、前記第１の領域に隣接し、
前記第１のタッチ−ドラッグ入力の距離が予め設定された距離より大きい場合、前記拡張された領域は、前記第１の領域から前記第１の方向に離隔する、移動端末機の制御方法。
【請求項１２】
前記移動端末機において発生したイベントを示す第１のインジケーターを前記第１のスクリーンに表示する段階であって、前記第１のタッチ−ドラッグ入力は、当該第１のインジケーターから開始される段階と、
前記第１のインジケーターに対応するイベント関連情報を前記第２のスクリーン上に表示する段階と、をさらに有する、請求項１１に記載の移動端末機の制御方法。
【発明の詳細な説明】
【技術分野】
【０００１】
本発明は、移動端末機に関し、より詳細には、回転が可能なユーザの身体部位に着用されるウェアラブルタイプの移動端末機の動きとタッチ入力とを組み合わせ、多様な機能を提供できる移動端末機及びその制御方法に関する。
【背景技術】
【０００２】
端末機は、移動が可能であるか否かによって移動端末機（ｍｏｂｉｌｅ／ｐｏｒｔａｂｌｅ  ｔｅｒｍｉｎａｌ）と固定端末機（ｓｔａｔｉｏｎａｒｙ  ｔｅｒｍｉｎａｌ）とに分けられる。さらに、移動端末機は、ユーザが直接携帯できるか否かによって携帯（型）端末機（ｈａｎｄｈｅｌｄ  ｔｅｒｍｉｎａｌ）と据置型端末機（ｖｅｈｉｃｌｅ  ｍｏｕｎｔｅｄ  ｔｅｒｍｉｎａｌ）とに分けられる。
【０００３】
移動端末機の機能は多様化している。例えば、データ及び音声通信、カメラを用いた写真撮影及びビデオ撮影、音声録音、スピーカーシステムを用いた音楽ファイルの再生、そして、ディスプレイ部にイメージやビデオを出力する機能がある。一部の端末機は追加的に、電子ゲームプレー機能を有し、又、マルチメディアプレーヤー機能を有する。特に、最近の移動端末機は、放送、ビデオまたはテレビジョンプログラムのような視覚的コンテンツを提供するマルチキャスト信号を受信することができる。
【０００４】
このような端末機（ｔｅｒｍｉｎａｌ）は、機能の多様化に伴い、例えば、写真や動画の撮影、音楽や動画ファイルの再生、ゲーム、放送の受信などの複合的な機能を備えたマルチメディア機器（Ｍｕｌｔｉｍｅｄｉａ  ｐｌａｙｅｒ）の形態に具現されている。
【０００５】
最近は、ユーザの身体に着用するウェアラブル機器の形態の移動端末機が注目を受けている。ところが、一般に、ウェアラブル機器に命令を入力する方法は、キーボタン入力やタッチスクリーンを通したタッチ入力程度に過ぎないので、より多様な命令入力方法及びこれに対応するユーザインターフェースが要求されている実情がある。
【発明の概要】
【発明が解決しようとする課題】
【０００６】
本発明は、より便利な機能を提供するウェアラブルタイプの移動端末機及びその制御方法を提供するためのものである。
【０００７】
特に、本発明は、移動端末機の動きとタッチ入力とを組み合わせ、多様な命令の入力を受けることができるウェアラブルタイプの移動端末機及びその制御方法を提供するためのものである。
【０００８】
また、本発明は、よりプライバシー保護機能が強化されたウェアラブルタイプの移動端末機及びその制御方法を提供するためのものである。
【０００９】
本発明で達成しようとする技術的課題は、以上で言及した各技術的課題に制限されず、言及していない更に他の技術的課題は、下記の記載から、本発明の属する技術分野で通常の知識を有する者によって明確に理解され得るであろう。
【課題を解決するための手段】
【００１０】
前記のような課題を実現するための本発明の一実施例と関連する移動端末機は、タッチスクリーンと、前記移動端末機の動きを感知するモーションセンサと、前記タッチスクリーンを通じてタッチ入力が感知され、前記タッチ入力が維持される間、モーションセンサを通じて回転が感知されると、前記タッチ入力及び前記回転に対応する機能が実行されるように制御する制御部とを含んでもよい。
【００１１】
ここで、前記制御部は、前記回転が感知される間、前記タッチ入力のタッチ地点変更に対応する機能が実行されるように制御することができる。また、前記制御部は、前記回転が感知される間、前記タッチ入力のパターンが第１の方向のタッチ−ドラッグ入力である場合、前記タッチ−ドラッグ入力の距離に対応する機能が実行されるように制御することができる。併せて、前記制御部は、前記タッチスクリーンの第１の領域に第１のスクリーンを表示し、前記回転が感知される間、前記第１の方向のタッチ−ドラッグ入力の距離に対応するサイズの第２の領域が前記第１の領域に隣接して表示されるように制御することができる。
【００１２】
また、前記制御部は、イベントの発生によって第１のインジケーターが前記第１の領域に表示されるようにし、前記タッチ入力が前記第１のインジケーター上に入力されると、前記第２の領域の第２のスクリーンに前記イベント関連情報が表示されるように制御することができる。ここで、前記制御部は、前記第１のインジケーター上に前記タッチ入力が感知されるとき、前記第１のインジケーターの周辺に第１の視覚効果が表示されるように制御することができる。或いは、前記制御部は、複数のイベントが発生した場合、前記タッチ−ドラッグ入力の距離に対応して前記第２の領域が拡張されることによって、前記複数のイベントのそれぞれに対するイベント関連情報が順次表示されるように制御することができる。
【００１３】
また、前記制御部は、前記第２の領域が表示されるとき、前記タッチ入力が維持された状態で第２の方向に前記タッチ−ドラッグ入力が継続して感知される場合、前記タッチ入力が解除された後にも前記第２の領域が維持されるように制御することができる。
【００１４】
また、前記制御部は、前記タッチ−ドラッグ入力の距離が既に設定された値を超える場合、前記第２の領域が前記第１の領域から分離され、前記タッチ−ドラッグ入力によって前記第１の方向に移動するように制御することができる。ここで、前記制御部は、前記第２の領域に表示される第２のスクリーンに発生したイベントと関連する情報が表示されるとき、後で同一のカテゴリーのイベントが発生した場合、前記第２のスクリーンに前記後で発生したイベントと関連する情報が表示されるように制御することができる。或いは、前記制御部は、前記タッチ−ドラッグ入力が進められることによって、前記既に設定された値の到達有無が第２の視覚効果を通じて表示されるように制御することができる。この場合、前記第２の視覚効果は前記第１の領域と前記第２の領域との間に表示することができる。
【００１５】
一方、前記制御部は、前記タッチスクリーンの第１の領域に第１のスクリーンを表示し、前記回転が感知される間、前記タッチ−ドラッグ入力の距離に対応して前記第１の領域が前記タッチ−ドラッグ入力の方向に拡張されるように制御することができる。ここで、前記制御部は、前記第１の領域が拡張されると、前記第１のスクリーンを維持した状態で前記第１の領域のうち拡張された領域に前記第２のスクリーンが表示されるように制御することができる。或いは、前記制御部は、前記第１の領域が拡張されると、前記第１のスクリーンが前記の拡張された第１の領域に対応して拡張されるようにし、前記第１のスクリーンを通じてイメージコンテンツが生成される場合、前記イメージコンテンツのサイズ及び縦横比が前記の拡張された第１のスクリーンに対応するように制御することができる。
【００１６】
また、前記制御部は、前記タッチスクリーンの第１の領域に第１のスクリーンを表示し、前記回転が感知される間、前記タッチ入力のタッチ地点が変更されると、前記第１のスクリーンの少なくとも一部に第３の視覚効果が表示されるように制御することができる。ここで、前記制御部は、前記回転が感知される間、前記タッチ入力のパターンが第１の方向のタッチ−ドラッグ入力である場合、前記第３の視覚効果が表示される領域が前記タッチ−ドラッグ入力の距離に比例して前記第１の方向に増加するように制御することができる。このとき、前記制御部は、前記第３の視覚効果が表示された後、前記タッチ入力が解除され、前記第３の視覚効果が表示される領域上に再びタッチ入力が感知されると、前記再びタッチ入力が感知された領域の周辺に前記第３の視覚効果が解除されるように制御することができる。
【００１７】
上述した移動端末機は、ウェアラブル腕輪形態の胴体をさらに含むことができ、前記タッチスクリーンは、前記胴体の外周面に沿って配置されることが好ましい。このような胴体を有する移動端末機において、前記制御部は、前記回転が前記胴体の曲面方向に感知されるとき、前記機能を行うことが好ましい。
【００１８】
また、前記の課題を実現するための本発明の一実施例と関連する移動端末機の制御方法は、タッチスクリーンを通じてタッチ入力が感知される段階と、前記タッチ入力が維持される間、モーションセンサを通じて回転が感知される段階と、前記タッチ入力及び前記回転に対応する機能が実行される段階とを含むことができる。
【００１９】
ここで、前記の実行される段階は、前記回転が感知される間、前記タッチ入力のタッチ地点変更に対応する機能が実行されるように行うことができる。また、前記の実行される段階は、前記回転が感知される間、前記タッチ入力のパターンが第１の方向のタッチ−ドラッグ入力である場合、前記タッチ−ドラッグ入力の距離に対応する機能が実行されるように行うことができる。
【００２０】
また、前記タッチスクリーンの第１の領域に第１のスクリーンを表示する段階をさらに含み、前記の実行される段階は、前記回転が感知される間、前記第１の方向のタッチ−ドラッグ入力の距離に対応するサイズの第２の領域が前記第１の領域に隣接して表示される段階を含むことができる。ここで、本方法は、イベントの発生によって第１のインジケーターが前記第１の領域に表示される段階と、前記タッチ入力が前記第１のインジケーター上に入力されると、前記第２の領域の第２のスクリーンに前記イベント関連情報が表示される段階とをさらに含むことができる。併せて、前記第１のインジケーター上に前記タッチ入力が感知されるとき、前記第１のインジケーターの周辺に第１の視覚効果が表示される段階をさらに含むこともできる。または、前記イベント関連情報が表示される段階は、複数のイベントが発生した場合、前記タッチ−ドラッグ入力の距離に対応して前記第２の領域が拡張されることによって、前記複数のイベントのそれぞれに対するイベント関連情報が順次表示される段階を含むことができる。
【００２１】
併せて、本方法は、前記第２の領域が表示されるとき、前記タッチ入力が維持された状態で第２の方向に前記タッチ−ドラッグ入力が継続して感知される場合、前記タッチ入力が解除された後にも前記第２の領域を維持することができる。
【００２２】
また、本方法において、前記タッチ−ドラッグ入力の距離が既に設定された値を超える場合、前記第２の領域が前記第１の領域から分離され、前記タッチ−ドラッグ入力によって前記第１の方向に移動する段階をさらに含むことができる。このとき、前記第２の領域に表示される第２のスクリーンに発生したイベントと関連する情報が表示されるとき、後で同一のカテゴリーのイベントが発生した場合、前記第２のスクリーンに前記の後で発生したイベントと関連する情報が表示される段階をさらに含むことができる。または、前記タッチ−ドラッグ入力が進められることによって、前記既に設定された値の到達の有無が第２の視覚効果を通じて表示される段階をさらに含むことができる。この場合、前記第２の視覚効果は、前記第１の領域と前記第２の領域との間に表示することができる。
【００２３】
一方、本方法は、前記タッチスクリーンの第１の領域に第１のスクリーンが表示される段階をさらに含み、前記の実行される段階は、前記回転が感知される間、前記タッチ−ドラッグ入力の距離に対応して前記第１の領域が前記タッチ−ドラッグ入力の方向に拡張される段階を含むことができる。このとき、前記の実行される段階は、前記第１の領域が拡張されると、前記第１のスクリーンを維持した状態で前記第１の領域のうち拡張された領域に前記第２のスクリーンが表示される段階をさらに含むことができる。また、前記の実行される段階は、前記第１の領域が拡張されると、前記第１のスクリーンが前記の拡張された第１の領域に対応して拡張される段階と、前記第１のスクリーンを通じてイメージコンテンツが生成される段階とをさらに含み、前記の生成されたイメージコンテンツのサイズ及び縦横比は、前記の拡張された第１のスクリーンに対応し得る。
【００２４】
また、本方法は、前記タッチスクリーンの第１の領域に第１のスクリーンを表示する段階をさらに含み、前記の実行される段階は、前記回転が感知される間、前記タッチ入力のタッチ地点が変更されると、前記第１のスクリーンの少なくとも一部に第３の視覚効果が表示される段階を含むことができる。ここで、前記回転が感知される間、前記タッチ入力のパターンが第１の方向のタッチ−ドラッグ入力である場合、前記第３の視覚効果が表示される段階は、前記第３の視覚効果が表示される領域が前記タッチ−ドラッグ入力の距離に比例して前記第１の方向に増加するように行われることが好ましい。また、本方法は、前記第３の視覚効果が表示された後、前記タッチ入力が解除される段階と、前記第３の視覚効果が表示される領域上に再びタッチ入力が感知される段階と、前記再びタッチ入力が感知された領域の周辺に前記第３の視覚効果が解除される段階とをさらに含むことができる。
【００２５】
上述した方法において、前記移動端末機は、ウェアラブル腕輪形態の胴体をさらに含み、前記タッチスクリーンは前記胴体の外周面に沿って配置することができる。この場合、前記の実行される段階は、前記回転が前記胴体の曲面方向に感知されるときに行われることが好ましい。
【発明の効果】
【００２６】
本発明によると、ウェアラブルタイプの移動端末機を通じてより多様な機能を提供することができる。
【００２７】
特に、本発明によると、タッチ入力と身体の動きによるウェアラブル機器の動きとが組み合わされ、新たな形態の命令を入力することができる。
【００２８】
また、本発明によると、新たなタイプの命令入力方法を通じて情報が表示されるディスプレイ領域が変更され、又、特定部位のみに高い可読性が提供され、ユーザのプライバシーを効率的に保護することができる。
【００２９】
本発明で得られる効果は、以上で言及した効果に制限されず、言及していない更に他の効果は、下記の記載から、本発明の属する技術分野で通常の知識を有する者によって明確に理解され得るだろう。
【図面の簡単な説明】
【００３０】
【図１】本発明と関連する移動端末機を説明するためのブロック図である。
【図２Ａ】本発明の実施例に適用され得る移動端末機の構造の一例を示す図である。
【図２Ｂ】本発明の実施例に適用され得る移動端末機の構造の一例を示す図である。
【図２Ｃ】本発明の実施例に適用され得る移動端末機の構造の一例を示す図である。
【図２Ｄ】本発明の実施例に適用され得る移動端末機の構造の一例を示す図である。
【図２Ｅ】本発明の実施例に適用され得る移動端末機の構造の一例を示す図である。
【図２Ｆ】本発明の実施例に適用され得る移動端末機の構造の一例を示す図である。
【図２Ｇ】本発明の実施例に適用され得る移動端末機の構造の一例を示す図である。
【図３】一般的なジェスチャーを通じた命令入力方法の一例を示す図である。
【図４】腕輪型端末における一般的なタッチ−ドラッグを通じた命令入力方法の一例を示す図である。
【図５】本発明に係る移動端末機にタッチ入力と運動状態変化が同時に感知される形態の一例を示す図である。
【図６】本発明に係る移動端末機にタッチ入力と運動状態変化が同時に感知される形態の他の一例を示す図である。
【図７】本発明の一実施例に係る移動端末機においてタッチと回転が同時に感知されることによる動作過程の一例を示すフローチャートである。
【図８Ａ】本発明の一実施例に係る移動端末機において通知情報を確認する過程の一例を示す図である。
【図８Ｂ】本発明の一実施例に係る移動端末機において通知情報を確認する過程の一例を示す図である。
【図９】本発明の一実施例に係る移動端末機においてアラーム情報が再設定される形態の一例を示す図である。
【図１０】本発明の一実施例に係る移動端末機において拡張されたディスプレイ領域を固定する方法の一例を示す図である。
【図１１】本発明の一実施例に係る移動端末機において拡張されたディスプレイ領域を分離させる方法の一例を示す図である。
【図１２】本発明の一実施例に係る移動端末機において拡張ディスプレイの分離のために必要な回転の程度を視覚的に表示する方法の一例を示す図である。
【図１３】本発明の一実施例に係る移動端末機において基本ディスプレイ領域のサイズを変更する方法の一例を示す図である。
【図１４】本発明の一実施例に係る移動端末機において複数のイベントが発生した場合、各イベント関連情報を同時に確認する方法の一例を示す図である。
【図１５】本発明の一実施例に係る移動端末機においてスクロールが行われる形態の一例を示す図である。
【図１６】本発明の一実施例に係る移動端末機においてスクロールが行われる形態の他の一例を示す図である。
【図１７】本発明の一実施例に係る移動端末機においてスクロールが行われる形態の更に他の一例を示す図である。
【図１８】本発明の一実施例に係る移動端末機においてメッセージを確認する方法の一例を示す図である。
【図１９】本発明の一実施例に係る移動端末機においてプライバシー保護機能が提供される形態の一例を示す図である。
【図２０Ａ】本発明の一実施例に係る移動端末機を通じて文字メッセージを作成する過程でプライバシー保護機能が提供される形態の一例を示す図である。
【図２０Ｂ】本発明の一実施例に係る移動端末機を通じて文字メッセージを作成する過程でプライバシー保護機能が提供される形態の一例を示す図である。
【図２１】本発明の一実施例に係る移動端末機においてスクロール可能なリストが表示されるときにプライバシー保護機能を呼び出す方法の一例を示す図である。
【図２２】本発明の一実施例に係る移動端末機においてプライバシー保護機能が呼び出された場合、明るく表示される領域のサイズを調節する方法の一例を示す図である。
【図２３】本発明の一実施例に係る移動端末機においてプライバシー保護機能が呼び出された場合、リストの項目をスクロールする方法の一例を示す図である。
【図２４】本発明の一実施例に係る移動端末機においてアプリケーションを終了する方法の一例を示す図である。
【図２５】本発明の一実施例に係る移動端末機においてお気に入りアプリケーションを実行する方法の一例を示す図である。
【図２６】本発明の一実施例に係る移動端末機においてアプリケーションの実行画面に対応するようにコンテンツが生成される形態の一例を示す図である。
【発明を実施するための形態】
【００３１】
以下、添付の図面を参照して、本明細書に開示された実施例を詳細に説明し、図面符号に関係なく同一又は類似の構成要素には同一の参照番号を付与し、これに関する重複説明は省略する。以下の説明で用いられる構成要素の接尾辞である「モジュール」及び「部」は、明細書の作成を容易にするために付与又は混用されるものであり、それ自体が互いに区別される意味又は役割を有するものではない。また、本明細書に開示された実施例を説明するにあたって、関連する公知技術に関する具体的な説明が本明細書に開示された実施例の要旨を不明にすると判断される場合は、その詳細な説明を省略する。なお、添付図面は本明細書の実施形態を容易に理解できるようにするためのものに過ぎず、添付図面により本明細書に開示された技術的思想が制限されるものではなく、本発明の思想及び技術的範囲に含まれるすべての変更、均等物ないし代替物を含むものと理解しなければならない。
【００３２】
第１、第２などのように序数を含む用語は、様々な構成要素を説明するために使用できるが、前記構成要素は、前記用語によって限定されてはならない。前記用語は、１つの構成要素を他の構成要素から区別する目的でのみ使用される。
【００３３】
本明細書で説明する移動端末機は、ユーザの身体に着用されるウェアラブルタイプの移動端末機であって、ユーザの身体のうち少なくとも一の回転軸に沿って回転可能でありながらも、着用者の手やそれに把持されるポインターを通じて自然にタッチ入力が可能な部位（例えば、手首、上腕、頭）に着用され得ることが好ましい。このような移動端末機の例としては、腕輪型端末機（ｓｍａｒｔ  ｂａｎｇｌｅ）、ウォッチ型端末機（ｓｍａｒｔ  ｗａｔｃｈ）、グラス型端末機（ｓｍａｒｔ  ｇｌａｓｓ）、ＨＭＤ（ｈｅａｄ  ｍｏｕｎｔｅｄ  ｄｉｓｐｌａｙ））などを含んでもよい。
【００３４】
図１は、本発明と関連する移動端末機を説明するためのブロック図である。
【００３５】
前記移動端末機１００は、無線通信部１１０、入力部１２０、センシング部１４０、出力部１５０、インターフェース部１６０、メモリ１７０、制御部１８０及び電源供給部１９０等を含んでもよい。図１に示した構成要素は、移動端末機を具現する際に必ず必要なものではないので、本明細書上で説明される移動端末機は、上記で列挙した構成要素よりも多い又は少ない構成要素を有してもよい。
【００３６】
より具体的には、前記構成要素のうち、無線通信部１１０は、移動端末機１００と無線通信システムとの間、移動端末機１００と他の移動端末機１００との間、または移動端末機１００と外部サーバーとの間の無線通信を可能にする１つ以上のモジュールを含んでもよい。また、前記無線通信部１１０は、移動端末機１００を１つ以上のネットワークに接続させる１つ以上のモジュールを含んでもよい。
【００３７】
このような無線通信部１１０は、放送受信モジュール１１１、移動通信モジュール１１２、無線インターネットモジュール１１３、近距離通信モジュール１１４、及び位置情報モジュール１１５のうち少なくとも１つ以上を含んでもよい。
【００３８】
入力部１２０は、映像信号入力のためのカメラ１２１又は映像入力部、オーディオ信号入力のためのマイクロホン（ｍｉｃｒｏｐｈｏｎｅ）１２２又はオーディオ入力部、ユーザからの情報の入力を受けるためのユーザ入力部１２３（例えば、タッチキー（ｔｏｕｃｈ  ｋｅｙ）、プッシュキー（ｍｅｃｈａｎｉｃａｌ  ｋｅｙ）など）を含んでもよい。入力部１２０で収集した音声データやイメージデータは、分析され、ユーザの制御命令として処理可能である。
【００３９】
センシング部１４０は、移動端末機内の情報、移動端末機を取り囲む周辺環境情報及びユーザ情報のうち少なくとも１つ以上をセンシングするための１つ以上のセンサを含んでもよい。例えば、センシング部１４０は、近接センサ１４１（ｐｒｏｘｉｍｉｔｙ  ｓｅｎｓｏｒ）、照度センサ１４２（ｉｌｌｕｍｉｎａｔｉｏｎ  ｓｅｎｓｏｒ）、タッチセンサ（ｔｏｕｃｈ  ｓｅｎｓｏｒ）、加速度センサ（ａｃｃｅｌｅｒａｔｉｏｎ  ｓｅｎｓｏｒ）、磁気センサ（ｍａｇｎｅｔｉｃ  ｓｅｎｓｏｒ）、重力センサ（Ｇ−ｓｅｎｓｏｒ）、ジャイロスコープセンサ（ｇｙｒｏｓｃｏｐｅ  ｓｅｎｓｏｒ）、モーションセンサ（ｍｏｔｉｏｎ  ｓｅｎｓｏｒ）、ＲＧＢセンサ、赤外線センサ（ＩＲセンサ：ｉｎｆｒａｒｅｄ  ｓｅｎｓｏｒ）、指紋認識センサ（ｆｉｎｇｅｒ  ｓｃａｎ  ｓｅｎｓｏｒ）、超音波センサ（ｕｌｔｒａｓｏｎｉｃ  ｓｅｎｓｏｒ）、光センサ（ｏｐｔｉｃａｌ  ｓｅｎｓｏｒ、例えば、カメラ１２１参照）、マイクロホン（ｍｉｃｒｏｐｈｏｎｅ、１２２参照）、バッテリーゲージ（ｂａｔｔｅｒｙ  ｇａｕｇｅ）、環境センサ（例えば、気圧計、湿度計、温度計、放射能感知センサ、熱感知センサ、ガス感知センサなど）、化学センサ（例えば、電子鼻、ヘルスケアセンサ、生体認識センサなど）のうち少なくとも１つ以上を含んでもよい。一方、本明細書に開示された移動端末機は、このようなセンサのうち少なくとも２つ以上のセンサでセンシングされる情報を組み合わせて活用することができる。
【００４０】
出力部１５０は、視覚、聴覚又は触覚などと関連する出力を発生させるためのもので、ディスプレイ部１５１、音響出力部１５２、ハプティックモジュール１５３、光出力部１５４のうち少なくとも１つ以上を含んでもよい。ディスプレイ部１５１は、タッチセンサと相互レイヤー構造をなし、または一体型に形成されることによって、タッチスクリーンを具現することができる。このようなタッチスクリーンは、移動端末機１００とユーザとの間の入力インターフェースを提供するユーザ入力部１２３として機能すると共に、移動端末機１００とユーザとの間の出力インターフェースを提供することができる。
【００４１】
インターフェース部１６０は、移動端末機１００に接続される様々な種類の外部機器との経路の役割を果たす。このようなインターフェース部１６０は、有／無線ヘッドセットポート（ｐｏｒｔ）、外部充電器ポート（ｐｏｒｔ）、有／無線データポート（ｐｏｒｔ）、メモリカード（ｍｅｍｏｒｙ  ｃａｒｄ）ポート、識別モジュールが備えられた装置を接続するポート（ｐｏｒｔ）、オーディオＩ／Ｏ（Ｉｎｐｕｔ／Ｏｕｔｐｕｔ）ポート（ｐｏｒｔ）、ビデオＩ／Ｏ（Ｉｎｐｕｔ／Ｏｕｔｐｕｔ）ポート（ｐｏｒｔ）、イヤホンポート（ｐｏｒｔ）のうち少なくとも１つ以上を含んでもよい。移動端末機１００では、前記インターフェース部１６０に外部機器が接続されることに対応して、接続された外部機器と関連する適切な制御を行うことができる。
【００４２】
また、メモリ１７０には、移動端末機１００の様々な機能を支援するデータが格納される。メモリ１７０には、移動端末機１００において駆動される多数のアプリケーションプログラム（ａｐｐｌｉｃａｔｉｏｎ  ｐｒｏｇｒａｍ）又はアプリケーション（ａｐｐｌｉｃａｔｉｏｎ）、移動端末機１００の動作のためのデータ、命令語を格納することができる。このようなアプリケーションプログラムのうち少なくとも一部は、無線通信を介して外部サーバーからダウンロードされてもよい。また、このようなアプリケーションプログラムのうち少なくとも一部は、移動端末機１００の基本的な機能（例えば、電話着信／発信機能、メッセージ受信／発信機能）のために出庫時から移動端末機１００上に存在してもよい。一方、アプリケーションプログラムは、メモリ１７０に格納され、移動端末機１００上にインストールされ、制御部１８０によって前記移動端末機の動作（または機能）を行うように実行されてもよい。
【００４３】
制御部１８０は、前記アプリケーションプログラムと関連する動作以外にも、通常、移動端末機１００の全般的な動作を制御する。制御部１８０は、上述した構成要素を介して入力又は出力される信号、データ、情報などを処理したり、メモリ１７０に格納されたアプリケーションプログラムを実行したりすることによって、ユーザに適切な情報又は機能を提供又は処理することができる。
【００４４】
また、制御部１８０は、メモリ１７０に格納されたアプリケーションプログラムを実行するために、図１とともに説明した構成要素のうち少なくとも一部を制御することができる。さらに、制御部１８０は、前記アプリケーションプログラムの実行のために、移動端末機１００に含まれた構成要素のうち少なくとも２つ以上を互いに組み合わせて動作させることができる。
【００４５】
電源供給部１９０は、制御部１８０の制御下で、外部の電源又は内部の電源が印加されて、移動端末機１００に含まれた各構成要素に電源を供給する。このような電源供給部１９０は、バッテリーを含み、前記バッテリーは、内蔵型バッテリー又は交換可能な形態のバッテリーであってもよい。
【００４６】
前記各構成要素のうち少なくとも一部は、以下で説明される様々な実施例に係る移動端末機の動作、制御、または制御方法を具現するために互いに協調して動作することができる。また、前記移動端末機の動作、制御、または制御方法は、前記メモリ１７０に格納された少なくとも１つのアプリケーションプログラムの実行によって移動端末機上で具現されてもよい。
【００４７】
まず、無線通信部１１０について説明すると、無線通信部１１０の放送受信モジュール１１１は、放送チャンネルを介して外部の放送管理サーバーから放送信号及び／または放送関連情報を受信する。前記放送チャンネルは、衛星チャンネル、地上波チャンネルを含んでもよい。少なくとも二つの放送チャンネルに対する同時放送受信または放送チャンネルスイッチングのために二つ以上の前記放送受信モジュールを前記移動端末機１００に提供することができる。
【００４８】
前記放送管理サーバーは、放送信号及び／または放送関連情報を生成して送信するサーバーまたは既に生成された放送信号及び／または放送関連情報を受け取って端末機に送信するサーバーを意味し得る。前記放送信号は、ＴＶ放送信号、ラジオ放送信号、データ放送信号を含むだけでなく、ＴＶ放送信号またはラジオ放送信号にデータ放送信号が結合した形態の放送信号も含んでもよい。
【００４９】
前記放送信号は、デジタル放送信号の送受信のための各技術標準（または放送方式、例えば、ＩＳＯ、ＩＥＣ、ＤＶＢ、ＡＴＳＣなど）のうち少なくとも一つによって符号化することができ、放送受信モジュール１１１は、前記各技術標準で定めた技術規格に適した方式を用いて前記デジタル放送信号を受信することができる。
【００５０】
前記放送関連情報は、放送チャンネル、放送プログラムまたは放送サービス提供者と関連する情報を意味し得る。前記放送関連情報は、移動通信網を介しても提供することができ、この場合は、前記移動通信モジュール１１２によって受信することができる。
【００５１】
前記放送関連情報は、例えば、ＤＭＢ（Ｄｉｇｉｔａｌ  Ｍｕｌｔｉｍｅｄｉａ  Ｂｒｏａｄｃａｓｔｉｎｇ）のＥＰＧ（Ｅｌｅｃｔｒｏｎｉｃ  Ｐｒｏｇｒａｍ  Ｇｕｉｄｅ）またはＤＶＢ−Ｈ（Ｄｉｇｉｔａｌ  Ｖｉｄｅｏ  Ｂｒｏａｄｃａｓｔ−Ｈａｎｄｈｅｌｄ）のＥＳＧ（Ｅｌｅｃｔｒｏｎｉｃ  Ｓｅｒｖｉｃｅ  Ｇｕｉｄｅ）などの多様な形態で存在し得る。放送受信モジュール１１１を通じて受信された放送信号及び／または放送関連情報はメモリ１７０に格納することができる。
【００５２】
移動通信モジュール１１２は、移動通信のための各技術標準または通信方式（例えば、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉｐｌｅ  Ａｃｃｅｓｓ）、ＣＤＭＡ２０００（Ｃｏｄｅ  Ｄｉｖｉｓｉｏｎ  Ｍｕｌｔｉｐｌｅ  Ａｃｃｅｓｓ  ２０００）、ＥＶ−ＤＯ（Ｅｎｈａｎｃｅｄ  Ｖｏｉｃｅ−Ｄａｔａ  Ｏｐｔｉｍｉｚｅｄ  ｏｒ  Ｅｎｈａｎｃｅｄ  Ｖｏｉｃｅ−Ｄａｔａ  Ｏｎｌｙ）、ＷＣＤＭＡ（Ｗｉｄｅｂａｎｄ  ＣＤＭＡ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）、ＬＴＥ−Ａ（Ｌｏｎｇ  Ｔｅｒｍ  Ｅｖｏｌｕｔｉｏｎ−Ａｄｖａｎｃｅｄ）など）によって構築された移動通信網上で、基地局、外部の端末及びサーバーのうち少なくとも一つと無線信号を送受信する。
【００５３】
前記無線信号は、音声呼信号、画像通話呼信号または文字／マルチメディアメッセージ送受信による多様な形態のデータを含むことができる。
【００５４】
無線インターネットモジュール１１３は、無線インターネット接続のためのモジュールをいい、移動端末機１００に内蔵または外付けすることができる。無線インターネットモジュール１１３は、各無線インターネット技術による通信網で無線信号を送受信するように構成される。
【００５５】
無線インターネット技術としては、例えば、ＷＬＡＮ（Ｗｉｒｅｌｅｓｓ  ＬＡＮ）、Ｗｉ−Ｆｉ（Ｗｉｒｅｌｅｓｓ−Ｆｉｄｅｌｉｔｙ）、Ｗｉ−Ｆｉ（Ｗｉｒｅｌｅｓｓ  Ｆｉｄｅｌｉｔｙ）  Ｄｉｒｅｃｔ、ＤＬＮＡ（Ｄｉｇｉｔａｌ  Ｌｉｖｉｎｇ  Ｎｅｔｗｏｒｋ  Ａｌｌｉａｎｃｅ）、ＷｉＢｒｏ（Ｗｉｒｅｌｅｓｓ  Ｂｒｏａｄｂａｎｄ）、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）、ＬＴＥ−Ａ（Ｌｏｎｇ  Ｔｅｒｍ  Ｅｖｏｌｕｔｉｏｎ−Ａｄｖａｎｃｅｄ）などがある。前記無線インターネットモジュール１１３は、前記の列挙されていないインターネット技術まで含む範囲で少なくとも一つの無線インターネット技術によってデータを送受信する。
【００５６】
ＷｉＢｒｏ、ＨＳＤＰＡ、ＨＳＵＰＡ、ＧＳＭ、ＣＤＭＡ、ＷＣＤＭＡ、ＬＴＥ、ＬＴＥ−Ａなどによる無線インターネット接続は、移動通信網を介して行われるという観点から見ると、前記移動通信網を介して無線インターネット接続を行う前記無線インターネットモジュール１１３は、前記移動通信モジュール１１２の一種と理解することもできる。
【００５７】
近距離通信モジュール１１４は、近距離通信（Ｓｈｏｒｔ  ｒａｎｇｅ  ｃｏｍｍｕｎｉｃａｔｉｏｎ）のためのものであって、ブルートゥース（登録商標）（Ｂｌｕｅｔｏｏｔｈ（登録商標））、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ；ＩｒＤＡ）、ＵＷＢ（Ｕｌｔｒａ  Ｗｉｄｅｂａｎｄ）、ＺｉｇＢｅｅ、ＮＦＣ（Ｎｅａｒ  Ｆｉｅｌｄ  Ｃｏｍｍｕｎｉｃａｔｉｏｎ）、Ｗｉ−Ｆｉ（Ｗｉｒｅｌｅｓｓ−Ｆｉｄｅｌｉｔｙ）、Ｗｉ−Ｆｉ  Ｄｉｒｅｃｔ、Ｗｉｒｅｌｅｓｓ  ＵＳＢ（Ｗｉｒｅｌｅｓｓ  Ｕｎｉｖｅｒｓａｌ  Ｓｅｒｉａｌ  Ｂｕｓ）技術のうち少なくとも一つを用いて近距離通信を支援することができる。このような近距離通信モジュール１１４は、近距離無線通信網（Ｗｉｒｅｌｅｓｓ  Ａｒｅａ  Ｎｅｔｗｏｒｋｓ）を介して移動端末機１００と無線通信システムとの間、移動端末機１００と他の移動端末機１００との間、または、移動端末機１００と他の移動端末機１００（または外部サーバー）が位置するネットワークとの間の無線通信を支援することができる。前記近距離無線通信網は、近距離無線個人通信網（Ｗｉｒｅｌｅｓｓ  Ｐｅｒｓｏｎａｌ  Ａｒｅａ  Ｎｅｔｗｏｒｋｓ）であってもよい。
【００５８】
ここで、他の移動端末機１００は、本発明に係る移動端末機１００とデータを相互交換することが可能な（または連動可能な）ウェアラブルデバイス（ｗｅａｒａｂｌｅ  ｄｅｖｉｃｅ、例えば、スマートウォッチ（ｓｍａｒｔ  ｗａｔｃｈ）、スマートグラス（ｓｍａｒｔ  ｇｌａｓｓ）、ＨＭＤ（ｈｅａｄ  ｍｏｕｎｔｅｄ  ｄｉｓｐｌａｙ））であってもよい。近距離通信モジュール１１４は、移動端末機１００の周辺にある、前記移動端末機１００と通信可能なウェアラブルデバイスを感知（または認識）することができる。さらに、制御部１８０は、前記の感知されたウェアラブルデバイスが本発明に係る移動端末機１００と通信するように認証されたデバイスである場合、移動端末機１００で処理されるデータの少なくとも一部を、前記近距離通信モジュール１１４を介してウェアラブルデバイスに伝送することができる。したがって、ウェアラブルデバイスのユーザは、移動端末機１００で処理されるデータを、ウェアラブルデバイスを通じて用いることができる。例えば、これによって、ユーザは、移動端末機１００に電話が受信された場合、ウェアラブルデバイスを通じて通話を行ったり、移動端末機１００にメッセージが受信された場合、ウェアラブルデバイスを通じて前記の受信されたメッセージを確認することが可能である。
【００５９】
位置情報モジュール１１５は、移動端末機の位置（または現在の位置）を獲得するためのモジュールであって、その代表的な例としては、ＧＰＳ（Ｇｌｏｂａｌ  Ｐｏｓｉｔｉｏｎｉｎｇ  Ｓｙｓｔｅｍ）モジュールまたはＷｉ−Ｆｉ（Ｗｉｒｅｌｅｓｓ  Ｆｉｄｅｌｉｔｙ）モジュールがある。例えば、移動端末機は、ＧＰＳモジュールを活用すると、ＧＰＳ衛星から送られる信号を用いて移動端末機の位置を獲得することができる。他の例として、移動端末機は、Ｗｉ−Ｆｉモジュールを活用すると、Ｗｉ−Ｆｉモジュールと無線信号を送信または受信する無線ＡＰ（Ｗｉｒｅｌｅｓｓ  Ａｃｃｅｓｓ  Ｐｏｉｎｔ）の情報に基づいて移動端末機の位置を獲得することができる。必要に応じて、位置情報モジュール１１５は、置換、または付加的に移動端末機の位置に関するデータを得るために、無線通信部１１０の他のモジュールのうちいずれかの機能を行うことができる。位置情報モジュール１１５は、移動端末機の位置（または現在の位置）を獲得するために用いられるモジュールであって、移動端末機の位置を直接計算し又は獲得するモジュールに限定されることはない。
【００６０】
次に、入力部１２０は、映像情報（または信号）、オーディオ情報（または信号）、データ、またはユーザから入力される情報の入力のためのものであって、映像情報の入力のために、移動端末機１００は、一つまたは複数のカメラ１２１を備えることができる。カメラ１２１は、画像通話モードまたは撮影モードでイメージセンサによって得られる静止画または動画などの画像フレームを処理する。処理された画像フレームは、ディスプレイ部１５１に表示したり、メモリ１７０に格納することができる。一方、移動端末機１００に備えられる複数のカメラ１２１は、マトリックス構造をなすように配置することができ、このようにマトリックス構造をなすカメラ１２１を通じて、移動端末機１００には多様な角度または焦点を有する複数の映像情報を入力することができる。また、複数のカメラ１２１は、立体映像を具現するための左映像及び右映像を獲得するように、ステレオ構造で配置することができる。
【００６１】
マイクロホン１２２は、外部の音響信号を電気的な音声データに処理する。処理された音声データは、移動端末機１００で遂行中の機能（または実行中のアプリケーションプログラム）によって多様に活用することができる。一方、マイクロホン１２２には、外部の音響信号の入力を受ける過程で発生する雑音を除去するための多様な雑音除去アルゴリズムを具現することができる。
【００６２】
ユーザ入力部１２３は、ユーザから情報の入力を受けるためのものであって、ユーザ入力部１２３を通じて情報が入力されると、制御部１８０は、入力された情報に対応するように移動端末機１００の動作を制御することができる。このようなユーザ入力部１２３は、機械式（ｍｅｃｈａｎｉｃａｌ）入力手段（または、メカニカルキー、例えば、移動端末機１００の前・後面または側面に位置するボタン、ドームスイッチ（ｄｏｍｅ  ｓｗｉｔｃｈ）、ゾグホイール、ゾグスイッチなど）及びタッチ式入力手段を含んでもよい。一例として、タッチ式入力手段は、ソフトウェア的な処理を通じてタッチスクリーンに表示される仮想キー（ｖｉｒｔｕａｌ  ｋｅｙ）、ソフトキー（ｓｏｆｔ  ｋｅｙ）またはビジュアルキー（ｖｉｓｕａｌ  ｋｅｙ）からなるか、前記タッチスクリーン以外の部分に配置されるタッチキー（ｔｏｕｃｈ  ｋｅｙ）からなり得る。一方、前記仮想キーまたはビジュアルキーは、多様な形態を有しながらタッチスクリーン上に表示されてもよく、例えば、グラフィック、テキスト、アイコン、ビデオまたはこれらの組み合わせからなり得る。
【００６３】
一方、センシング部１４０は、移動端末機内の情報、移動端末機を取り囲む周辺環境情報及びユーザ情報のうち少なくとも一つをセンシングし、これに対応するセンシング信号を発生させる。制御部１８０は、このようなセンシング信号に基づいて、移動端末機１００の駆動または動作を制御したり、移動端末機１００に設置されたアプリケーションプログラムと関連するデータ処理、機能または動作を行うことができる。以下では、センシング部１４０に含まれ得る多様なセンサのうち代表的なセンサについてより具体的に説明する。
【００６４】
まず、近接センサ１４１は、所定の検出面に接近する物体、或いは近傍に存在する物体の有無を電磁界の力または赤外線などを用いて機械的接触なしで検出するセンサをいう。このような近接センサ１４１は、上述したようなタッチスクリーンによって取り囲まれる移動端末機の内部領域または前記タッチスクリーンの付近に配置することができる。
【００６５】
近接センサ１４１の例としては、透過型光電センサ、直接反射型光電センサ、ミラー反射型光電センサ、高周波発振型近接センサ、静電容量型近接センサ、磁気型近接センサ、赤外線近接センサなどがある。タッチスクリーンが静電式である場合、近接センサ１４１は、伝導性を有する物体の近接による電界の変化によって前記物体の近接を検出するように構成することができる。この場合、タッチスクリーン（またはタッチセンサ）自体を近接センサに分類することができる。
【００６６】
一方、説明の便宜上、タッチスクリーン上に物体が接触しない状態で近接し、前記物体が前記タッチスクリーン上に位置することを認識させる行為を「近接タッチ（ｐｒｏｘｉｍｉｔｙ  ｔｏｕｃｈ）」と命名し、前記タッチスクリーン上に物体が実際に接触する行為を「接触タッチ（ｃｏｎｔａｃｔ  ｔｏｕｃｈ）」と命名する。前記タッチスクリーン上で物体が近接タッチされる位置とは、前記物体が近接タッチされるとき、前記物体が前記タッチスクリーンに対して垂直に対応する位置を意味する。前記近接センサ１４１は、近接タッチと、近接タッチパターン（例えば、近接タッチ距離、近接タッチ方向、近接タッチ速度、近接タッチ時間、近接タッチ位置、近接タッチ移動状態など）を感知することができる。一方、制御部１８０は、上述したように、近接センサ１４１を通じて感知された近接タッチ動作及び近接タッチパターンに相応するデータ（または情報）を処理し、さらに、処理されたデータに対応する視覚的な情報をタッチスクリーン上に出力させることができる。さらに、制御部１８０は、タッチスクリーン上の同一の地点に対するタッチが、近接タッチであるか、それとも接触タッチであるかによって、互いに異なる動作またはデータ（または情報）が処理されるように移動端末機１００を制御することができる。
【００６７】
タッチセンサは、抵抗膜方式、静電容量方式、赤外線方式、超音波方式、磁場方式などの様々なタッチ方式のうち少なくとも一つを用いてタッチスクリーン（またはディスプレイ部１５１）に加えられるタッチ（またはタッチ入力）を感知する。
【００６８】
一例として、タッチセンサは、タッチスクリーンの特定部位に加えられた圧力または特定部位に発生する静電容量などの変化を電気的な入力信号に変換するように構成することができる。タッチセンサは、タッチスクリーン上にタッチを加えるタッチ対象体がタッチセンサ上にタッチされる位置、面積、タッチ時の圧力、タッチ時の静電容量などを検出できるように構成することができる。ここで、タッチ対象体は、前記タッチセンサにタッチを印加する物体であって、例えば、指、タッチペンまたはスタイラスペン（Ｓｔｙｌｕｓ  ｐｅｎ）、ポインターなどになり得る。
【００６９】
このように、タッチセンサに対するタッチ入力がある場合、それに対応する信号は、タッチ制御器に送られる。タッチ制御器は、その信号を処理した後、対応するデータを制御部１８０に送る。これによって、制御部１８０は、ディスプレイ部１５１のいずれの領域がタッチされたのかが分かる。ここで、タッチ制御器は、制御部１８０と別途の構成要素であってもよく、制御部１８０自体であってもよい。
【００７０】
一方、制御部１８０は、タッチスクリーン（またはタッチスクリーン以外に備えられたタッチキー）をタッチする、タッチ対象体の種類に応じて互いに異なる制御を行ったり、同一の制御を行うことができる。タッチ対象体の種類に応じて互いに異なる制御を行うのか、それとも同一の制御を行うのかは、現在の移動端末機１００の動作状態または実行中のアプリケーションプログラムによって決定することができる。
【００７１】
一方、上述したタッチセンサ及び近接センサは、独立的にまたは組み合わせた形態で、タッチスクリーンに対するショート（またはタップ）タッチ（ｓｈｏｒｔ  ｔｏｕｃｈ）、ロングタッチ（ｌｏｎｇ  ｔｏｕｃｈ）、マルチタッチ（ｍｕｌｔｉ−ｔｏｕｃｈ）、ドラッグタッチ（ｄｒａｇ  ｔｏｕｃｈ）、フリックタッチ（ｆｌｉｃｋ  ｔｏｕｃｈ）、ピンチインタッチ（ｐｉｎｃｈ−ｉｎ  ｔｏｕｃｈ）、ピンチアウトタッチ（ｐｉｎｃｈ−ｏｕｔ  ｔｏｕｃｈ）、スワイプ（ｓｗｙｐｅ）タッチ、ホバリング（ｈｏｖｅｒｉｎｇ）タッチなどの多様な方式のタッチをセンシングすることができる。
【００７２】
超音波センサは、超音波を用いて感知対象の位置情報を認識することができる。一方、制御部１８０は、光センサ及び複数の超音波センサから感知される情報を通じて波動発生源の位置を算出することが可能である。波動発生源の位置は、光が超音波より非常に速い性質、すなわち、光が光センサに到逹する時間が、超音波が超音波センサに到逹する時間より非常に速いことを用いて算出することができる。より具体的には、光を基準信号として、光が到達する時間と超音波が到逹する時間との時間差を用いて波動発生源の位置を算出することができる。
【００７３】
一方、入力部１２０の構成から見たカメラ１２１は、カメラセンサ（例えば、ＣＣＤ、ＣＭＯＳなど）、フォトセンサ（またはイメージセンサ）及びレーザーセンサのうち少なくとも一つを含む。
【００７４】
カメラ１２１とレーザーセンサは、互いに組み合わされ、３次元立体映像に対する感知対象のタッチを感知することができる。フォトセンサは、ディスプレイ素子に積層され得るが、このようなフォトセンサは、タッチスクリーンに近接した感知対象の動きをスキャニングするように構成される。より具体的には、フォトセンサは、行／列にフォトダイオード（Ｐｈｏｔｏ  Ｄｉｏｄｅ）とトランジスタ（Ｔｒａｎｓｉｓｔｏｒ）を実装し、フォトダイオードに印加される光の量によって変化する電気的信号を用いてフォトセンサ上に載せられる内容物をスキャンする。すなわち、フォトセンサは、光の変化量による感知対象の座標計算を行い、これを通じて感知対象の位置情報を獲得することができる。
【００７５】
ディスプレイ部１５１は、移動端末機１００で処理される情報を表示（出力）する。例えば、ディスプレイ部１５１は、移動端末機１００で実行されるアプリケーションプログラムの実行画面情報、または、このような実行画面情報によるＵＩ（Ｕｓｅｒ  Ｉｎｔｅｒｆａｃｅ）、ＧＵＩ（Ｇｒａｐｈｉｃ  Ｕｓｅｒ  Ｉｎｔｅｒｆａｃｅ）情報を表示することができる。
【００７６】
また、前記ディスプレイ部１５１は、立体映像を表示する立体ディスプレイ部として構成することができる。
【００７７】
前記立体ディスプレイ部には、ステレオスコピック方式（メガネ方式）、オートステレオスコピック方式（無メガネ方式）、プロジェクション方式（ホログラフィック方式）などの３次元ディスプレイ方式を適用することができる。
【００７８】
音響出力部１５２は、呼信号受信、通話モードまたは録音モード、音声認識モード、放送受信モードなどで無線通信部１１０から受信し、又はメモリ１７０に格納されたオーディオデータを出力することができる。音響出力部１５２は、移動端末機１００で行われる機能（例えば、呼信号受信音、メッセージ受信音など）と関連する音響信号を出力することもある。このような音響出力部１５２には、レシーバー（ｒｅｃｅｉｖｅｒ）、スピーカー（ｓｐｅａｋｅｒ）、ブザー（ｂｕｚｚｅｒ）などを含ませることができる。
【００７９】
ハプティックモジュール（ｈａｐｔｉｃ  ｍｏｄｕｌｅ）１５３は、ユーザが感じることができる多様な触覚効果を発生させる。ハプティックモジュール１５３が発生させる触覚効果の代表的な例としては振動があり得る。ハプティックモジュール１５３で発生する振動の強さとパターンなどは、ユーザの選択または制御部の設定によって制御することができる。例えば、前記ハプティックモジュール１５３は、互いに異なる振動を合成して出力し、又、順次出力することもできる。
【００８０】
ハプティックモジュール１５３は、振動の他にも、接触皮膚面に対して垂直に運動するピン配列、噴射口や吸入口を介した空気の噴射力や吸入力、皮膚表面に対する擦れ、電極（ｅｌｅｃｔｒｏｄｅ）の接触、静電気力などの刺激による効果と、吸熱や発熱可能な素子を用いた冷温感再現による効果などの多様な触覚効果を発生させることができる。
【００８１】
ハプティックモジュール１５３は、直接的な接触を通じて触覚効果を伝達できるだけでなく、ユーザが指や腕などの筋感覚を通じて触覚効果を感じられるように具現することもできる。ハプティックモジュール１５３は、移動端末機１００の構成態様に応じて２個以上備えることができる。
【００８２】
光出力部１５４は、移動端末機１００の光源の光を用いてイベント発生を知らせるための信号を出力する。移動端末機１００で発生するイベントの例としては、メッセージ受信、呼信号受信、留守番電話、アラーム、日程通知、電子メール受信、アプリケーションを通じた情報受信などがあり得る。
【００８３】
光出力部１５４が出力する信号は、移動端末機が前面や後面に単色や複数色の光を発光することによって具現される。前記信号出力は、移動端末機がユーザのイベント確認を感知することによって終了し得る。
【００８４】
インターフェース部１６０は、移動端末機１００に連結されるすべての外部機器との経路としての役割をする。インターフェース部１６０は、外部機器からデータの伝送を受けたり、電源を受け取って移動端末機１００内部の各構成要素に伝達したり、移動端末機１００内部のデータを外部機器に伝送する。例えば、有／無線ヘッドセットポート（ｐｏｒｔ）、外部充電器ポート、有／無線データポート、メモリカード（ｍｅｍｏｒｙ  ｃａｒｄ）ポート、識別モジュールが備えられた装置を連結するポート、オーディオＩ／Ｏ（Ｉｎｐｕｔ／Ｏｕｔｐｕｔ）ポート、ビデオＩ／Ｏ（Ｉｎｐｕｔ／Ｏｕｔｐｕｔ）ポート、イヤホンポートなどをインターフェース部１６０に含ませることができる。
【００８５】
一方、識別モジュールは、移動端末機１００の使用権限を認証するための各種情報を格納したチップであって、ユーザ認証モジュール（ｕｓｅｒ  ｉｄｅｎｔｉｆｙ  ｍｏｄｕｌｅ；ＵＩＭ）、加入者認証モジュール（ｓｕｂｓｃｒｉｂｅｒ  ｉｄｅｎｔｉｔｙ  ｍｏｄｕｌｅ；ＳＩＭ）、汎用ユーザ認証モジュール（ｕｎｉｖｅｒｓａｌ  ｓｕｂｓｃｒｉｂｅｒ  ｉｄｅｎｔｉｔｙ  ｍｏｄｕｌｅ；ＵＳＩＭ）などを含んでもよい。識別モジュールが備えられた装置（以下、「識別装置」）は、スマートカード（ｓｍａｒｔ  ｃａｒｄ）形式で製作することができる。したがって、識別装置は、前記インターフェース部１６０を介して端末機１００と連結することができる。
【００８６】
また、前記インターフェース部１６０は、移動端末機１００が外部クレードル（ｃｒａｄｌｅ）と連結されるとき、前記クレードルからの電源が前記移動端末機１００に供給される経路になるか、ユーザによって前記クレードルで入力される各種命令信号が前記移動端末機１００に伝達される経路になり得る。前記クレードルから入力される各種命令信号または前記電源は、前記移動端末機１００が前記クレードルに正確に装着されたことを認知するための信号として動作することができる。
【００８７】
メモリ１７０は、制御部１８０の動作のためのプログラムを格納することができ、入／出力される各データ（例えば、フォンブック、メッセージ、静止画、動画など）を一時的に格納することもできる。前記メモリ１７０は、前記タッチスクリーン上のタッチ入力時に出力される多様なパターンの振動及び音響に関するデータを格納することができる。
【００８８】
メモリ１７０は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、ＳＳＤタイプ（Ｓｏｌｉｄ  Ｓｔａｔｅ  Ｄｉｓｋ  ｔｙｐｅ）、ＳＤＤタイプ（Ｓｉｌｉｃｏｎ  Ｄｉｓｋ  Ｄｒｉｖｅ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤまたはＸＤメモリなど）、ＲＡＭ（ｒａｎｄｏｍ  ａｃｃｅｓｓ  ｍｅｍｏｒｙ）、ＳＲＡＭ（ｓｔａｔｉｃ  ｒａｎｄｏｍ  ａｃｃｅｓｓ  ｍｅｍｏｒｙ）、ＲＯＭ（ｒｅａｄ−ｏｎｌｙ  ｍｅｍｏｒｙ）、ＥＥＰＲＯＭ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ）、ＰＲＯＭ（ｐｒｏｇｒａｍｍａｂｌｅ  ｒｅａｄ−ｏｎｌｙ  ｍｅｍｏｒｙ）、磁気メモリ、磁気ディスク及び光ディスクのうち少なくとも一つのタイプの格納媒体を含むことができる。移動端末機１００は、インターネット上で前記メモリ１７０の格納機能を行うウェブストレージ（ｗｅｂ  ｓｔｏｒａｇｅ）と関連して動作することもできる。
【００８９】
一方、上述したように、制御部１８０は、アプリケーションプログラムと関連する動作と、通常の移動端末機１００の全般的な動作を制御する。例えば、制御部１８０は、前記移動端末機の状態が設定された条件を満足すると、各アプリケーションに対するユーザの制御命令の入力を制限するロック状態を実行または解除することができる。
【００９０】
また、制御部１８０は、音声通話、データ通信、画像通話などと関連する制御及び処理を行い、又、タッチスクリーン上で行われる筆記入力または絵描き入力をそれぞれ文字及びイメージとして認識できるパターン認識処理を行うことができる。さらに、制御部１８０は、以下で説明する多様な実施例を本発明に係る移動端末機１００上で具現するために、上述した各構成要素のうちいずれか一つまたは複数を組み合わせて制御することができる。
【００９１】
電源供給部１９０は、制御部１８０の制御によって外部の電源、内部の電源の印加を受け、各構成要素の動作に必要な電源を供給する。電源供給部１９０はバッテリーを含み、バッテリーは、充電可能に構成される内蔵型バッテリーであってもよく、充電などのために端末機ボディーに着脱可能に結合されてもよい。
【００９２】
また、電源供給部１９０は、連結ポートを備えてもよく、連結ポートは、バッテリーの充電のために電源を供給する外部充電器が電気的に連結されるインターフェース部１６０の一例として構成することができる。
【００９３】
他の例として、電源供給部１９０は、前記連結ポートを用いることなく、無線方式でバッテリーを充電するように構成することができる。この場合、電源供給部１９０は、外部の無線電力伝送装置から磁気誘導現象に基づいた誘導結合（Ｉｎｄｕｃｔｉｖｅ  Ｃｏｕｐｌｉｎｇ）方式及び電磁気的共振現象に基づいた共振結合（Ｍａｇｎｅｔｉｃ  Ｒｅｓｏｎａｎｃｅ  Ｃｏｕｐｌｉｎｇ）方式のうち一つ以上を用いて電力の伝達を受けることができる。
【００９４】
一方、以下では、多様な実施例は、例えば、ソフトウェア、ハードウェアまたはこれらの組み合わせを用いてコンピューターまたはこれと類似する装置で読み取り可能な記録媒体内で具現することができる。
【００９５】
図２Ａ〜図２Ｇは、本発明の各実施例に適用され得る移動端末機の構造の一例をそれぞれ示す。
【００９６】
図２Ａを参照すると、腕輪型移動端末機の外観が示される。
【００９７】
移動端末機１００は、外観をなすケース（例えば、フレーム、ハウジング、カバーなど）を含む。図示したように、移動端末機１００は、外周面を構成するフロントケース１０１と、内周面を構成するインナーケース１０３とを含んでもよい。フロントケース１０１とインナーケース１０３との結合によって形成される内部空間には各種電子部品が配置される。フロントケース１０１とインナーケース１０３との間には、側面を構成するサイドケース１０２がさらに備えられてもよい。もちろん、サイドケースは、フロントケース１０１またはインナーケース１０３とは別に備えられるのではなく、二つのうちいずれか一つと一体型で備えられてもよい。
【００９８】
フロントケースの前面にはディスプレイ部１５１が配置され、情報Ａを出力することができる。すなわち、ディスプレイ部１５１は、フロントケース１０１に装着され、フロントケース１０１と共に端末機ボディーの前面（すなわち、外周面）を形成してもよい。ディスプレイ１５１は、外周面に沿って備えられてもよく、ウィンドウを介してフロントケース１０１上に露出してもよく、透明素材のフロントケース１０１の下部に内蔵するように備えられてもよい。また、ディスプレイ１５１は、必要に応じて外周面の一部領域のみに備えられてもよく、ほとんどの外周面を占めるように備えられてもよい。このために、ディスプレイは、フレキシブルディスプレイとして具現することができ、電力節約のために情報表示に必要な部分のみが活性化され得るようにＯＬＥＤ素材で具現することもできる。
【００９９】
フレキシブルディスプレイ部は、外力によって反るディスプレイ、曲がるディスプレイ、ねじられるディスプレイ、折り畳まれるディスプレイ、巻かれるディスプレイのうち一つ以上を含む。ここで、前記フレキシブルディスプレイ部は、一般的なフレキシブルディスプレイ部及び電子紙を全て含んでもよい。ここで、一般的なフレキシブルディスプレイは、既存の平板ディスプレイのディスプレイ特性を維持しながら、紙のように反り、曲がり、折り畳まれ、又は巻かれる、薄く且つ柔軟な基板上に製作された、軽く且つ割れない丈夫なディスプレイを意味する。また、電子紙は、一般的なインクの特徴を適用したディスプレイ技術であって、反射光を用いる点が一般の平板ディスプレイと異なる点であり得る。電子紙は、ツイストボールを用いて、又は、カプセルを用いた電気泳動（ｅｌｅｃｔｒｏｐｈｏｒｅｓｉｓ）を用いて、絵または文字を変更することができる。
【０１００】
一方、外周面の縁部が曲がるように形成され、側面と曲面で連結されるように形成される場合、ディスプレイ部も、これに沿って縁部が曲面で形成され、側面の少なくとも一部まで拡張され得る。
【０１０１】
また、必要に応じて、ディスプレイ部は、タッチセンサと一体的にタッチスクリーンを形成することができ、サイドケース１０２に沿って別途タッチセンサをさらに備えてもよい。
【０１０２】
場合に応じて、インナーケース１０３にも電子部品を装着することができる。インナーケース１０３に装着可能な電子部品としては、着脱可能なバッテリー、識別モジュール、メモリカードなどがある。この場合、インナーケース１０３には、装着された電子部品を覆うための後面カバー（図示せず）を着脱可能に結合させることができる。したがって、後面カバーがインナーケース１０３から分離されると、インナーケース１０３に装着された電子部品は外部に露出する。
【０１０３】
これら各ケース１０１、１０２、１０３は、合成樹脂を射出して形成され、少なくとも一部が金属、例えば、ステンレススチール（ＳＴＳ）、アルミニウム（Ａｌ）、チタン（Ｔｉ）などで形成されることもある。
【０１０４】
移動端末機１００は、複数のケースが各種電子部品を収容する内部空間を形成する前記の例とは異なり、一つのケースが前記内部空間を形成するように構成してもよい。この場合、合成樹脂または金属が側面から内周面につながるユニボディーの移動端末機１００を具現することができる。
【０１０５】
一方、移動端末機１００は、端末機ボディーの内部に水が染み込まないようにする防水部（図示せず）を備えてもよい。例えば、防水部は、ウィンドウとフロントケース１０１との間、フロントケース１０１とサイドケース１０２との間、または、サイドケース１０２とインナーケース１０３との間に備えられ、これらの結合時に、内部空間を密閉する防水部材を含んでもよい。
【０１０６】
移動端末機１００は、ディスプレイ部１５１、第１及び第２の音響出力部１５２ａ、１５２ｂ、近接センサ１４１、照度センサ１４２、光出力部１５４、第１及び第２のカメラ１２１ａ、１２１ｂ、第１及び第２の操作ユニット１２３ａ、１２３ｂ、マイクロホン１２２、インターフェース部１６０などを備えることができる。
【０１０７】
これらのうち、近接センサ１４１、照度センサ１４２、光出力部１５４、カメラ１２１などはフロントケース上に配置することができ、端末機ボディーの側面には操作ユニット１２３、マイクロホン１２２及びインターフェース部１６０などを配置することができる。
【０１０８】
ただし、これら構成は、このような配置に限定されるものではない。これら構成は、必要に応じて除外または代替され、又は、他の面に配置され得る。
【０１０９】
ディスプレイ部１５１は、移動端末機１００で処理される情報を表示（出力）する。例えば、ディスプレイ部１５１は、移動端末機１００で実行されるアプリケーションプログラムの実行画面情報、または、このような実行画面情報によるＵＩ（Ｕｓｅｒ  Ｉｎｔｅｒｆａｃｅ）、ＧＵＩ（Ｇｒａｐｈｉｃ  Ｕｓｅｒ  Ｉｎｔｅｒｆａｃｅ）情報を表示することができる。
【０１１０】
ディスプレイ部１５１は、液晶ディスプレイ（ｌｉｑｕｉｄ  ｃｒｙｓｔａｌ  ｄｉｓｐｌａｙ、ＬＣＤ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ、ＴＦＴ  ＬＣＤ）、有機発光ダイオード（ｏｒｇａｎｉｃ  ｌｉｇｈｔ−ｅｍｉｔｔｉｎｇ  ｄｉｏｄｅ、ＯＬＥＤ）、フレキシブルディスプレイ（ｆｌｅｘｉｂｌｅ  ｄｉｓｐｌａｙ）、３次元ディスプレイ（３Ｄ  ｄｉｓｐｌａｙ）及び電子インクディスプレイ（ｅ−ｉｎｋ  ｄｉｓｐｌａｙ）のうち少なくとも一つを含むことができる。
【０１１１】
また、ディスプレイ部１５１は、外周面に沿って２個以上存在し得る。この場合、移動端末機１００には、複数のディスプレイ部が外周面に離隔され、又は一体的に配置され得る。
【０１１２】
ディスプレイ部１５１は、タッチ方式によって制御命令の入力を受けられるように、ディスプレイ部１５１に対するタッチを感知するタッチセンサを含んでもよい。これを用いてディスプレイ部１５１に対してタッチが行われると、タッチセンサは、前記タッチを感知し、制御部１８０は、これに基づいて前記タッチに対応する制御命令を発生させるように構成することができる。タッチ方式によって入力される内容は、文字または数字であるか、各種モードでの指示または指定可能なメニュー項目などであってもよい。
【０１１３】
一方、タッチセンサは、タッチパターンを備えるフィルムの形態で構成され、ウィンドウ（図示せず）とウィンドウの背面上のディスプレイ（図示せず）との間に配置され、又は、ウィンドウの背面に直接パターニングされるメタルワイヤになることもある。または、タッチセンサは、ディスプレイと一体的に形成することができる。例えば、タッチセンサは、ディスプレイの基板上に配置し、又はディスプレイの内部に備えてもよい。
【０１１４】
このように、ディスプレイ部１５１は、タッチセンサと共にタッチスクリーンを形成してもよく、この場合、タッチスクリーンは、ユーザ入力部１２３（図１参照）として機能することができる。
【０１１５】
光出力部１５４は、イベントの発生時、これを知らせるための光を出力するように構成される。前記イベントの例としては、メッセージ受信、呼信号受信、留守番電話、アラーム、日程通知、電子メール受信、アプリケーションを通じた情報受信などを挙げることができる。制御部１８０は、ユーザのイベント確認が感知されると、光の出力が終了するように光出力部１５４を制御することができる。
【０１１６】
カメラ１２１は、撮影モードまたは画像通話モードでイメージセンサによって得られる静止画または動画の画像フレームを処理する。処理された画像フレームは、ディスプレイ部１５１に表示することができ、メモリ１７０に格納することができる。
【０１１７】
マイクロホン１２２は、ユーザの音声、その他の音などの入力を受けるように構成される。マイクロホン１２２は、複数の箇所に備えられ、ステレオ音響の入力を受けるように構成することができる。
【０１１８】
インターフェース部１６０は、移動端末機１００を外部機器と連結させることができる経路となる。例えば、インターフェース部１６０は、他の装置（例えば、イヤホン、外付けスピーカー）との連結のための接続端子、近距離通信のためのポート（例えば、赤外線ポート（ＩｒＤＡ  Ｐｏｒｔ）、ブルートゥースポート（Ｂｌｕｅｔｏｏｔｈ  Ｐｏｒｔ）、無線ＬＡＮポート（Ｗｉｒｅｌｅｓｓ  ＬＡＮ  Ｐｏｒｔ）など）、及び移動端末機１００に電源を供給するための電源供給端子のうち少なくとも一つであり得る。このようなインターフェース部１６０は、ＳＩＭ（Ｓｕｂｓｃｒｉｂｅｒ  Ｉｄｅｎｔｉｆｉｃａｔｉｏｎ  Ｍｏｄｕｌｅ）またはＵＩＭ（Ｕｓｅｒ  Ｉｄｅｎｔｉｔｙ  Ｍｏｄｕｌｅ）、情報格納のためのメモリカードなどの外付け型カードを収容するソケットの形態に具現することもできる。
【０１１９】
端末機ボディーは、無線通信のための少なくとも一つのアンテナを備えてもよい。アンテナは、端末機ボディーに内蔵され、又はケースに形成されてもよい。例えば、放送受信モジュール１１１（図１参照）の一部をなすアンテナは、端末機ボディーから引き出し可能に構成することができる。または、アンテナは、フィルムタイプに形成され、インナーケース１０３の内側面に付着させてもよく、導電性素材を含むケースがアンテナとして機能するように構成されてもよい。
【０１２０】
端末機ボディーには、移動端末機１００に電源を供給するための電源供給部１９０（図１参照）が備えられる。電源供給部１９０は、端末機ボディーに内蔵され、又は、端末機ボディーの外部で着脱可能に構成されるバッテリー１９１を含んでもよい。
【０１２１】
バッテリー１９１は、インターフェース部１６０に連結される電源ケーブルを介して電源の供給を受けるように構成することができる。また、バッテリー１９１は、無線充電機器を通じて無線充電可能に構成することもできる。前記無線充電は、磁気誘導方式または共振方式（磁気共鳴方式）によって具現することができる。
【０１２２】
次に、図２Ｂに示すように、着用の容易性のために、移動端末機ボディーの少なくとも一部が開放された形態で形成することもできる。また、移動端末機の側面には複数の操作ユニット１２３ａ、１２３ｂ、１２３ｃが備えられてもよい。これら各操作ユニットは、移動端末機１００の動作を制御するための命令の入力を受けるために操作されるユーザ入力部１２３の一例であって、操作部（ｍａｎｉｐｕｌａｔｉｎｇ  ｐｏｒｔｉｏｎ）と総称することもできる。各操作ユニットは、タッチ、プッシュ、スクロールなどのユーザが触覚を受けながら操作する方式（ｔａｃｔｉｌｅ  ｍａｎｎｅｒ）であればいずれの方式も採用することができる。もちろん、各操作ユニットは、近接タッチ（ｐｒｏｘｉｍｉｔｙ  ｔｏｕｃｈ）、ホバリング（ｈｏｖｅｒｉｎｇ）タッチなどを通じてユーザの触覚なしで操作する方式を採用することができる。また、各操作ユニットが側面に備えられる場合であっても、側面にタッチセンサが備えられることは当然である。この場合、一側面のタッチセンサを考慮して、各操作ユニットが他の側面のみに備えられてもよく、各操作ユニットが位置した領域に隣接した一部の側面にタッチセンサが備えられなくてもよい。これとは異なり、操作ユニットが配置された位置を除いた側面全体にタッチセンサが備えられてもよい。
【０１２３】
各操作ユニットによって入力される内容は多様に設定することができる。例えば、第１の操作ユニット１２３ａは、メニュー、ホームキー、取り消し、検索などの命令の入力を受け、第２、３操作ユニット１２３ｂ、ｃは、音響出力部１５２から出力される音響の音量調節、ディスプレイ部１５１のタッチ認識モードへの転換などの命令の入力を受けることができる。
【０１２４】
次に、図２Ｃに示すように、着用の容易性のために、移動端末機１００の一部１０５が回動しながら開放または閉鎖されるようにヒンジ部１０４が備えられてもよい。
【０１２５】
また、図２Ｄのように、移動端末機本体が柔軟な物質で構成され、ユーザの身体に巻かれるように具現することもできる。より詳細には、移動端末機本体は、左側のように平らな状態になった後、右側のようにユーザの着用部位に適した形態に巻かれる。この場合、ディスプレイもフレキシブルディスプレイであることが好ましい。
【０１２６】
一方、本発明に係る移動端末機は、着用部位が回転する方向及び回転の程度がそのまま移動端末機に反映されることが好ましい。すなわち、移動端末機は、着用されたユーザの身体部位と運動状態を共にするように着用部位に固定される必要がある。したがって、図２Ｅのように、移動端末機の内周面に沿って滑り防止素材（例えば、ゴム、シリコーン、ファブリック類など）で構成された各滑り防止パッド２１０を備えてもよい。各滑り防止パッドは、多様な間隔、厚さ、素材で配置することができ、着用部位の周囲に柔軟に着用され得るように圧縮／復元可能な弾性力を有する素材を内部に充填することもできる。
【０１２７】
後述する本発明の各実施例では、移動端末機の運動状態が重要な命令入力方法の一要素として作用する。したがって、本発明に係る移動端末機は、自身の運動状態を判断するために少なくとも一つ以上の加速度センサやジャイロセンサを備えることが好ましい。このようなセンサが備えられる場合、図２Ｆの（ａ）のように、移動端末機は、自身の動きを少なくとも三つの軸に区分して判断することができる。移動端末機の運動状態をより正確に判断するためには、複数のセンサを互いに異なる位置に備えることができる。例えば、図２Ｆの（ｂ）のように、移動端末機本体の互いに対向する方向に二つのセンサ１４３ａ及び１４３ｂを備えてもよい。この場合、図２Ｆの（ａ）において、特にＹ軸を中心にした回転を正確に感知することができる。すなわち、第１のセンサ１４３ａで感知された運動方向が第２のセンサ１４３ｂで感知された運動方向と反対である場合、移動端末機は、Ｙ軸を中心にして回転中であり、同一の方向である場合、移動端末機が平行に移動していると判断することができる。もちろん、より高い正確性のために、２個より多いセンサが移動端末機に備えられることは当然である。
【０１２８】
一方、本発明に係る移動端末機は、図２Ｇのようにウォッチタイプであってもよい。
【０１２９】
図２Ｇを参照すると、ウォッチタイプの移動端末機１００は、タッチスクリーン１５１を備える本体２０１、及び本体２０１に連結され、手首に着用可能に構成されるバンド２０２を含む。
【０１３０】
本体２０１は、外観を形成するケースを含む。図示したように、ケースは、各種電子部品を収容する内部空間を設ける第１のケース２０１ａ及び第２のケース２０１ｂを含むことができる。ただし、本発明は、これに限定されるものではなく、一つのケースが前記内部空間を設けるように構成され、ユニボディーの移動端末機１００を具現することもできる。ここで、ケースに含まれる各種電子部品は、図１を参照して説明した各構成要素の少なくとも一部と同一または類似する機能を行うように構成することができる。例えば、ウォッチタイプの移動端末機にも制御部が備えられ、必要に応じて無線通信部、インターフェース部、メモリなどを含ませることができる。
【０１３１】
ウォッチタイプの移動端末機１００は、無線通信可能に構成され、本体２０１には、前記無線通信のためのアンテナを設置することができる。一方、アンテナは、ケースを用いてその性能を拡張させることができる。例えば、導電性素材を含むケースがアンテナと電気的に連結され、グラウンド領域または放射領域を拡張させるように構成することができる。
【０１３２】
本体２０１の前面にはタッチスクリーン１５１が配置され、情報を出力することができ、これを通じてタッチ入力を感知することができる。図示したように、タッチスクリーン１５１のウィンドウ１５１ａは、第１のケース２０１ａに装着され、第１のケース２０１ａと共に端末機ボディーの前面を形成することができる。
【０１３３】
本体２０１には、音響出力部１５２、カメラ１２１、マイク１２２、ユーザ入力部１２３などを必要に応じて備えることができる。
【０１３４】
バンド２０２は、手首に着用され、手首を取り囲むように構成され、着用が容易になるようにフレキシブル素材で形成することができる。その例として、バンド２０２は、革、ゴム、シリコーン、合成樹脂素材などで形成することができる。また、バンド２０２は、本体２０１に着脱可能に構成され、ユーザの趣向に応じて多様な形態のバンドに取り替えられるように構成することができる。
【０１３５】
一方、バンド２０２は、アンテナの性能を拡張させるために用いることができる。例えば、バンドには、アンテナと電気的に連結され、グラウンド領域を拡張させるグラウンド拡張部（図示せず）を内蔵することができる。
【０１３６】
バンド２０２にはファスナー（ｆａｓｔｅｎｅｒ）２０２ａを備えることができる。ファスナー２０２ａは、バックル（ｂｕｃｋｌｅ）、スナップフィット（ｓｎａｐ−ｆｉｔ）が可能なフック（ｈｏｏｋ）構造、またはベルクロ（登録商標）（ｖｅｌｃｒｏ（登録商標））などによって具現することができ、伸縮性のある区間または素材を含むことができる。本図面では、ファスナー２０２ａがバックルの形態に具現された例を提示している。
【０１３７】
上述したウェアラブル機器タイプの移動端末機１００は、他の移動端末機（例えば、スマートフォンタイプの移動端末機）とデータを互いに交換（または連動）できるように構成することができる。近距離通信モジュール１１４は、移動端末機１００の周辺に通信可能な他の移動端末機を感知（または認識）することができる。さらに、制御部１８０は、感知された他の移動端末機が移動端末機１００と通信するように認証されたデバイスである場合、移動端末機１００で処理されるデータの少なくとも一部を、近距離通信モジュール１１４を通じて他の移動端末機に伝送することができる。したがって、ユーザは、移動端末機１００で処理されるデータを他の移動端末機を通じて用いることができ、その反対も可能である。
【０１３８】
一般に、タッチスクリーンと加速／ジャイロセンサ（以下、便宜上、「モーションセンサ」と称する）を備えた移動端末機には、二つの形式の命令入力方法を考慮することができる。その一つは、身体の動き（すなわち、ジェスチャー）に沿って移動端末機が共に動くことによるモーションセンサ値の変化を用いる方法であって、他の一つは、タッチスクリーンでタッチ入力を感知する方法である。このような命令入力方法の具体的な一例を、図３及び図４を参照して説明する。
【０１３９】
図３は、一般的なジェスチャーを通じた命令入力方法の一例を示す。
【０１４０】
図３に示すように、移動端末機１００の外周面上のタッチスクリーン１５１を通じて任意のコンテンツが表示される。このとき、ユーザが手首を一回振る場合、下記のようにタッチスクリーン１５１に表示されたコンテンツが他にコンテンツに変更され得る。このような命令入力方法は、米国特許出願公開第２０１４／０１６００７８号明細書によって開示されている。
【０１４１】
図４は、腕輪型端末において一般的なタッチ−ドラッグを通じた命令入力方法の一例を示す。
【０１４２】
図４に示すように、左側のように、移動端末機１００の外周面上のタッチスクリーン１５１を通じて待機画面４１０が表示される。このとき、待機画面４１０をポインター４２０でタッチした後、下方向にドラッグすると、右側のように、待機画面が外周面方向に沿って下端に移動し得る。
【０１４３】
タッチ入力と運動状態の同時感知を通じた命令入力
【０１４４】
上述したような各命令入力方法を通じて、既に表示されたディスプレイ客体を移動させたり、スクロールするなどの命令を移動端末機に入力することができる。ところが、上述した命令入力方法では、一般に一度に一種類のみが入力される。すなわち、これまでは、タッチ−ドラッグ入力とジェスチャーを通じた入力が別個の入力として考慮されてきたので、命令入力の形態が制限的になるしかなかった。
【０１４５】
これとは異なり、本発明の一実施例では、互いに異なる二つの種類の命令を同時に入力させ、新規のディスプレイ客体／領域の生成／再設定、ディスプレイ客体／領域の移動／表示状態変更などのより多様な機能を行わせることを提案する。より詳細に説明すると、移動端末機のタッチスクリーンにポインターを置いた（すなわち、接触した）状態でユーザが手首を回転させる場合、移動端末機が手首と共に回転することによって、ポインターの接触地点は、自然に回転するタッチスクリーン表面に沿って移動するようになる。したがって、ポインターは、接触状態を維持しているが、タッチスクリーンが回転し、タッチスクリーンの観点ではタッチ−ドラッグ入力が感知される。結局、手首の回転により、タッチスクリーン上ではタッチ−ドラッグ入力が感知され、モーションセンサを通じては回転状態が同時に感知される。このとき、タッチスクリーンを通じて認知されるタッチ方向と移動端末機が回転する方向は自然に互いに反対方向になり得る。すなわち、回転方向とタッチ−ドラッグ入力の方向とを組み合わせ、制御部１８０は、タッチスクリーン上に感知されるタッチ入力とモーションセンサを通じて感知された移動端末機の回転とが、ユーザが意図した命令入力であるか否かをより正確に判断することができる。
【０１４６】
このような命令入力方法を、図５及び図６を通じてより詳細に説明する。
【０１４７】
図５は、本発明に係る移動端末機にタッチ入力と運動状態変化とが同時に感知される形態の一例を示す。
【０１４８】
図５の（ａ）を参照すると、ユーザが移動端末機１００を左手首に着用した状態で、手の甲方向に位置したタッチスクリーン１５１上に右手５１０の指を接触させる。ここで、右手５１０は動かさず、図５の（ｂ）のように左手首のみを手の平がユーザに向かうように回す場合、左手首の移動端末機１００も手首と共に回転するようになる。これを図５の（ｃ）のように移動端末機の観点から見ると、タッチスクリーン上で右手指が接触した地点は、最初のタッチ地点５２０から相対的に下側地点５３０に変更される。図５の（ｄ）のように、移動端末機を平面に広げた形態１００'で見ると、結局、タッチスクリーン上には最初のタッチ地点５２０から最終タッチ地点５３０までタッチ−ドラッグ入力が感知される効果が発生する。併せて、タッチ−ドラッグ入力の方向は、感知された回転方向と反対であると見なすことができる。
【０１４９】
このような命令入力方法は、一般的なタッチ−ドラッグ入力と比較すると、移動端末機のモーションセンサに、回転運動がタッチ−ドラッグ入力と同時に感知されるという相違点を有する。ここで、移動端末機のモーションセンサで感知される運動状態は、ユーザが移動端末機に命令を入力しようとする意図によるので、「回転命令」と称することもできる。
【０１５０】
一方、移動端末機の側面、すなわち、外周面と内周面との間に沿ってタッチセンサが備えられる場合、外周面に備えられたタッチスクリーンに指がタッチされるときと異なる命令として制御部１８０に認識され得る。これを、図６を参照して説明する。
【０１５１】
図６は、本発明に係る移動端末機にタッチ入力と運動状態変化とが同時に感知される形態の他の一例を示す。
【０１５２】
図６の（ａ）を参照すると、ユーザが移動端末機１００を左手首に着用した状態で、ユーザの手の甲方向に位置した移動端末機１００の側面の一地点上に右手５１０の指を接触させる。ここで、右手５１０は動かさず、図６の（ｂ）のように、左手首のみを手の平がユーザに向かうように回す場合、左手首の移動端末機１００も手首と共に回転するようになる。これを図６の（ｃ）のように、移動端末機の観点から見ると、タッチスクリーン上で右手指が接触した地点は、最初のタッチ地点６２０から相対的に反時計方向の地点６３０に変更される。これを斜めから見ると、図６の（ｄ）のように、結局、タッチスクリーン上には、最初のタッチ地点６２０から最終のタッチ地点６３０までタッチ−ドラッグ入力が感知される効果が発生する。このような命令入力方法は、一般的なタッチ−ドラッグ入力と比較すると、移動端末機のモーションセンサに、回転運動がタッチ−ドラッグ入力と同時に感知されるという相違点を有する。
【０１５３】
以下では、上述した命令入力方法を通じて命令が入力されるときの本発明に係る移動端末機の動作を説明する。
【０１５４】
図７は、本発明の一実施例に係る移動端末機においてタッチと回転とが同時に感知されることによる動作過程の一例を示すフローチャートである。
【０１５５】
図７を参照すると、まず、タッチスクリーン上にタッチ入力が感知され得る（Ｓ７１０）。タッチ状態が継続して維持される間、すなわち、タッチスクリーンを通じてタッチが継続して感知される間、モーションセンサを通じて回転が感知されると（Ｓ７２０）、制御部１８０は、回転が感知される間、変更されるタッチ地点に対応する機能を実行させることができる（Ｓ７３０）。すなわち、制御部１８０は、回転が開始される前のタッチ地点から回転が終了した時点のタッチ地点までの距離と方向を判断し、それに対応する機能を実行させることができる。もし、タッチ入力が感知される間、回転が感知されないか、回転の程度が既に設定されたしきい値に及ばない場合、制御部１８０は、これを単純タッチ入力と判断し、感知されたタッチ入力に対応する機能を実行させることができる。
【０１５６】
以下では、回転が感知される間、変更されたタッチ地点に対応して実行され得る各機能をより詳細に説明する。
【０１５７】
まず、図８Ａ〜図１４を参照して、ディスプレイ領域の拡張、縮小及び変形を説明する。以下の各図面では、移動端末機のディスプレイが外周面に沿って全体の外周面面積の少なくとも半分以上を占めるが、デフォルト状態では一定領域のみが活性化され、基本待機画面（例えば、時計）が表示される状況を仮定する。ここで、一定領域が活性化されることは、活性化された領域を除いた領域には何ら情報が表示されないか、既に設定された色相（例えば、黒）やパターンが継続して表示されることを意味し得る。或いは、活性化された領域を除いた領域にバックライトが部分的に消えること、又は、ＯＬＥＤでディスプレイが構成される場合、活性化された領域を除いた領域の発光素子自体が非活性化されることを意味することもできる。特に、本領域を用いて視覚情報を表示させることで、全体のディスプレイ領域を全て活性化させる場合にディスプレイで消費される電力量よりも少ない電力量を消費することになるため、移動端末機の制限されたバッテリー容量を考慮すると、効率的である。
【０１５８】
以下、便宜上、デフォルトで活性化される領域を「既存のディスプレイ領域」、「デフォルトディスプレイ領域」、または「基本ディスプレイ領域」と称することにする。
【０１５９】
図８Ａ及び図８Ｂは、本発明の一実施例に係る移動端末機において通知情報を確認する過程の一例を示す。
【０１６０】
図８Ａの（ａ）を参照すると、タッチスクリーン１５１の一領域８１０が活性化され、待機画面が表示される。ここで、イベント（例えば、文字メッセージ受信）が発生する場合、該当の領域８１０の所定位置にイベントインジケーター８１１が表示され得る。
【０１６１】
このとき、図８Ａの（ｂ）のように、ユーザがイベントインジケーター８１１に指８２０を接触させた状態で手首を矢印方向に回す場合、タッチ地点がイベントインジケーター８１１の下側に変更されながら、結果的にタッチスクリーン上に該当のインジケーター８１１を下側にドラッグしたのと同じタッチ入力が感知される。それによって、制御部１８０は、図８Ａの（ｃ）のように、活性化された領域を手首の回転が停止したときのタッチ地点まで拡張（８１０'）し、拡張された領域内に受信されたメッセージの内容８１２を表示させることができる。ここで表示されるメッセージの内容８１２は、回転の程度（すなわち、拡張された領域のサイズ）に比例して表示される情報の程度が異なり得る。例えば、３０度の回転が感知された場合は、メッセージの発信者と内容の最初の行のみが表示され、６０度の回転が感知された場合は、メッセージの残りの内容と到着時間がさらに表示され得る。更に他の例として、９０度の回転が感知された場合は、該当のメッセージの発信者と以前に交換された他のメッセージがスレッド形態に表示されることもある。
【０１６２】
結局、同時に入力されるタッチ−ドラッグと回転動作とを通じて、イベント通知の細部情報とディスプレイ領域の拡張とを一度に行うことができる。また、ディスプレイ領域が拡張される方向は、タッチ−ドラッグ方向と同一の方向であり、回転方向とは反対方向になる。
【０１６３】
ここで、ユーザが図８Ａの（ｂ）のようにタッチ接触状態を解除し、再び手首を反対方向に回転し、又はタッチ接触状態が解除されてから一定時間が経過する場合、タッチスクリーンで拡張されたディスプレイ領域８１０'は、再び図８Ａの（ａ）のような状態に復帰され得る。
【０１６４】
もちろん、図８Ａの（ａ）のような状況でイベントインジケーター８１１が単純タッチ入力を通じて選択される場合は、図８Ｂの（ａ）のように、受信されたメッセージの細部内容が活性化された領域８１０を通じて表示され得る。また、イベントインジケーター８１１がタッチされる場合、指によってインジケーターが隠され得る。このとき、インジケーター８１１が正確にタッチされることをユーザに知らせるために、図８Ｂの（ｂ）のように所定の視覚効果８３０が表示されることもある。図面には示していないが、視覚効果８３０には、イベントの個数やタイプ、関連アプリケーションを示す視覚効果（例えば、アイコンや数字／テキスト、インジケーターなど）を含ませることができる。
【０１６５】
一方、図８Ａの（ｃ）のような状況でタッチ入力が解除されないか、再びタッチした後で接触状態が維持されるとき、ユーザが手首を反対方向に回転させる場合、該当のイベント自体や該当のイベントに対応するアプリケーションでトリガーされる他のイベントに対する通知がこれ以上表示されないこともある。
【０１６６】
次に、図９を参照してアラーム再設定方法を説明する。
【０１６７】
図９は、本発明の一実施例に係る移動端末機においてアラーム情報が再設定される形式の一例を示す。
【０１６８】
図９では、アラーム時間の到来によって表示されるインジケーターを本発明に係る命令入力方法を通じて移動させる方法として、アラーム時間を再設定する方法が示される。
【０１６９】
図９の（ａ）を参照すると、タッチスクリーン１５１の一領域９１０が活性化され、待機画面が表示される。ここで、既に設定されたアラーム時間が到来した場合、該当の領域９１０の所定位置にアラームインジケーター９１１が表示され得る。
【０１７０】
このとき、ユーザがアラーム時間を再設定しようとする場合、ユーザは、移動端末機の側面に指を接触させた状態で図９の（ｂ）のように手首を矢印方向に回すことができる。それによって、回転の程度（すなわち、側面で発生するタッチ−ドラッグ入力の距離）に対応してディスプレイ領域が下側に拡張されながら、アラームインジケーター９１１が下側に移動し得る。ユーザの視線では、待機画面が表示される領域９１０は移動端末機の回転によって上側に上がったように見えるようになり、下側に拡張されたディスプレイ領域９２０には時間の目盛りが表示され得る。ユーザは、時間の目盛りを参照してアラーム再設定を希望する時間だけ手首を回し、アラームインジケーターを下側に移動させた後、タッチを解除すると、制御部１８０は、タッチが解除されるとき、アラームインジケーターの位置に対応する時間後にアラームが発生するようにアラーム情報を再設定することができる。
【０１７１】
アラームインジケーター９１１は、図９の（ｃ）のように、時間の経過と共に、待機画面が表示される領域９１０に徐々に近接するように移動することができ、制御部１８０は、図９の（ａ）のような位置にアラームインジケーター９１１が到逹すると、予め設定された出力手段１５０を通じてアラーム時間が到来することをユーザに知らせることができる。このような方法を通じて、ユーザは、アラーム設定時間まで残った時間を簡便に確認し、アラーム時間を簡便に延長／変更することができる。
【０１７２】
もちろん、図９の（ｄ）のように、側面でないタッチスクリーン上のアラームインジケーター９１１に指をタッチした状態で手首を回転させる場合、回転距離に対応して活性化されたディスプレイ領域が下側に拡張されながら、拡張された領域９２０にアラームの細部情報が表示され得ることは、図８Ａを参照して説明した通りである。併せて、側面タッチの代わりに、二つ以上の指を同時にタッチスクリーン（またはアラームインジケーター）に接触させた状態で手首を回す入力を適用することもできる。
【０１７３】
一方、前記では、拡張されたディスプレイ領域は、タッチが解除されてからそのまま一定時間置くか、タッチを維持した状態で手首が反対に回ると消えると説明した。もちろん、設定に応じて、タッチが解除されてから一定時間以上そのまま置いても、拡張された状態にディスプレイ領域が維持されることもあるが、そうでない場合、このような拡張状態を維持する方法が要求される。これを、図１０を参照して説明する。
【０１７４】
図１０は、本発明の一実施例に係る移動端末機において拡張されたディスプレイ領域を固定する方法の一例を示す。
【０１７５】
図１０の左側を参照すると、タッチと回転とが同時に感知されることによって、制御部１８０は、既存のディスプレイ領域１０１０の下側に拡張ディスプレイ領域１０２０を表示させることができる。ここで、回転の程度（及びそれによるタッチ−ドラッグ距離）が既に設定されたしきい値を超える場合、横方向のドラッグ入力を通じて拡張ディスプレイ領域１０２０の固定が可能であることを示すインジケーター１０２１が表示され得る。
【０１７６】
インジケーター１０２１が表示されるとき、図１０の中央のようにユーザがタッチ入力維持中の指を左側または右側にドラッグする場合、図１０の右側のようにユーザがタッチ入力を解除したとしても、拡張ディスプレイ領域１０２０は消えずに固定され、継続して表示され得る。
【０１７７】
一方、拡張ディスプレイ領域１０２０が固定されると、固定された状態を示すインジケーター（図示せず）を表示することもできる。固定された状態を示すインジケーターは、固定された拡張ディスプレイ領域１０２０の一縁部や、既に設定された位置に表示され得る。また、インジケーターは、固定のための横方向のドラッグ入力が終了する縁部に表示することもでき、このようなインジケーターを再び中央方向にドラッグする場合、拡張ディスプレイ領域の固定状態が解除され得る。これとは異なり、拡張ディスプレイ領域が固定された状態で移動端末機を振ったり、拡張ディスプレイ領域上にタッチが維持された状態で拡張ディスプレイ領域を生成するときの回転と反対方向に手首が回転する場合にも、拡張ディスプレイ領域の固定状態が解除され得る。
【０１７８】
上述した各実施例において、拡張ディスプレイ領域は、既存の（活性化された）ディスプレイ領域から延長される形態に具現された。ところが、回転の程度が既に設定されたしきい値を超える場合、拡張ディスプレイ領域は、既存のディスプレイ領域と分離され、別個のディスプレイ領域になることもある。これを、図１１を参照して説明する。
【０１７９】
図１１は、本発明の一実施例に係る移動端末機において拡張されたディスプレイ領域を分離させる方法の一例を示す。図１１は、図８Ａの（ｃ）から後続する過程であると仮定する。
【０１８０】
図１１の（ａ）を参照すると、タッチスクリーン上にタッチが維持された状態で手首が回転することによって、既存のディスプレイ領域１１１０から拡張ディスプレイ領域１１２０が漸次拡大される。ここで、図１１の（ｂ）のように、さらに手首を回して一定距離以上ドラッグがタッチスクリーンで感知されたり、一定角度以上の回転がモーションセンサで感知される場合、図１１の（ｃ）のように、拡張ディスプレイ領域１１２０'は、既存のディスプレイ領域１１１０から分離され、別個のディスプレイ領域になり得る。
【０１８１】
分離された拡張ディスプレイ領域１１２０'は、タッチ入力がなされた状態で生成時と反対方向に回転が感知されたり、単純に一定回数以上揺れが感知されるときに消えてもよい。分離された拡張ディスプレイ領域１１２０'には、最初に表示されたイベント関連情報と少なくとも一部が同一である属性を有するイベントが後で発生する場合、新たに発生したイベント内容が継続して同一の領域１１２０'で表示され得る。例えば、分離された拡張ディスプレイ領域１１２０'で受信されたメッセージが表示される場合、該当の文字メッセージの相手から後で受信される文字メッセージは、継続して分離された拡張ディスプレイ領域上で表示され得る。このような機能は、特に、図１１の（ｄ）のように、分離された拡張ディスプレイ領域１１２０'が手の平側に位置した場合、プライバシー保護に有利である。
【０１８２】
ここで、拡張ディスプレイ領域が分離されるまでどれほどユーザが手首を回転させなければならないのかを視覚的に知らせることもできる。これを、図１２を参照して説明する。
【０１８３】
図１２は、本発明の一実施例に係る移動端末機において拡張ディスプレイの分離のために必要な回転の程度を視覚的に表示する方法の一例を示す。
【０１８４】
図１２の（ａ）を参照すると、タッチが維持された状態で回転が感知されることによって、既存のディスプレイ領域１１１０から拡張ディスプレイ領域１１２０が表示される。このとき、回転が進められることによって、二つのディスプレイ領域の境界になる領域が弾性体のように伸びながら、縁部が窪むような視覚効果１２１０が表示される。回転が継続して進められると、図１２の（ｂ）のように、縁部がさらに窪む視覚効果１２１０'が表示され、さらに回転が進められると、境界領域が切れるような効果と共に、二つの領域が互いに分離され得る。
【０１８５】
または、図１２の（ｃ）のように、二つの領域の境界領域に一端から他端方向に紙が破れるような視覚効果１２２０が表示され、回転が進められることによって、図１２の（ｄ）のように破れるような視覚効果がさらに長くなり得る（１２２０'）。その後、回転がさらに進められ、紙が破れるような視覚効果が他端まで至ると、二つの領域が分離され得る。
【０１８６】
上述した視覚効果の他にも、二つの領域が分離されるほどに十分な回転／ドラッグが発生した場合、これに対応する音響や振動が出力されることもある。もちろん、このような音響や振動も、二つの領域が分離される前まで分離が切迫していることを漸進的（例えば、振動周期が速くなるか、音響が漸次大きくなるなど）に示すこともできる。
【０１８７】
本発明の一実施例によると、基本ディスプレイ領域のサイズも変更することができる。これを、図１３を参照して説明する。
【０１８８】
図１３は、本発明の一実施例に係る移動端末機において基本ディスプレイ領域のサイズを変更する方法の一例を示す。
【０１８９】
図１３の（ａ）のように、基本ディスプレイ領域１３１０に待機画面や任意のアプリケーションの実行画面が表示されるとき、ユーザが移動端末機の側面にタッチを維持した状態で手首を回したり、図１３の（ｂ）のように、両側面を同時にタッチした状態で手首を回す場合、図１３の（ｃ）のように、回転に対応して基本ディスプレイ領域が拡張（１３１０'）され得る。それによって、拡張された領域に新たな情報１３２０がさらに表示されることもある。また、回転が図１３の（ａ）や（ｂ）と反対方向に入力される場合、図１３の（ｄ）のように、基本ディスプレイ領域が縮小（１３１０"）され得る。また、縮小される方向に一定程度以上回転させる場合、基本ディスプレイ領域自体が消えることもある。
【０１９０】
一方、基本ディスプレイ領域が拡張される場合は、拡張の程度によって既存の情報がさらに詳細に（例えば、天気情報が表示される場合、領域が大きくなるほど週間予報や時間帯別天気予報がさらに）表示されてもよく、図１３の（ｃ）のように、既存の情報と異なる新たなカテゴリー（ウィゼットやアイコン、インジケーターなど）の情報が表示されてもよく、その二つの組み合わせも可能である。その反対に、基本ディスプレイ領域が縮小される場合、既に表示された各情報の種類が減少したり、形態が変更され得る。例えば、円形アナログ時計が表示された場合、領域縮小によってデジタル時計として数字のみが表示され得る。他の例において、日付と時間が共に表示された場合、領域縮小によって時間のみが表示されることもある。
【０１９１】
次に、図１４を参照して複数のイベントが発生した場合を説明する。
【０１９２】
図１４は、本発明の一実施例に係る移動端末機において複数のイベントが発生した場合、各イベント関連情報を同時に確認する方法の一例を示す。
【０１９３】
図１４の（ａ）を参照すると、互いに異なる３種類のイベントが発生することによって、基本ディスプレイ領域１４１０にイベントインジケーター１４１１が、イベントの数に対応するように数字３を示している。このとき、ユーザが図１４の（ｂ）のようにイベントインジケーター１４１１をタッチした状態で手首を回転させると、図１４の（ｃ）のように基本ディスプレイ領域が拡張（１４１０'）されながら下端から第１のイベントの詳細内容（受信されたメッセージ）が表示される。その後、回転が進められながら第２のイベント（受信された天気情報）と第３のイベント（更新された健康情報）が拡張されたディスプレイ領域１４１０"に順次表示され得る。このとき、イベントに対する情報が表示される順序は、イベント発生順序に従ってもよく、予め設定されたイベント別の優先順位に従ってもよい。
【０１９４】
以下では、図１５〜図１７を参照して、本発明に係るディスプレイ客体のスクロール方法を説明する。
【０１９５】
図１５は、本発明の一実施例に係る移動端末機においてスクロールが行われる形態の一例を示す。
【０１９６】
図１５の（ａ）を参照すると、ギャラリーアプリケーションが実行され、移動端末機１００の基本ディスプレイ領域１５１０にイメージが表示される。このとき、基本ディスプレイ領域１５１０上で一方向にフリッキングタッチ入力が感知される場合、制御部１８０は、図１５の（ｂ）のように他のイメージがスクロールされて表示されるようにすることができる。もし、基本ディスプレイ領域上にタッチ入力が感知されている状態でモーションセンサを通じて回転が感知されると、回転方向（またはその逆方向）及び回転程度に対応して各イメージをスクロールさせることができる。例えば、ユーザがタッチを維持した状態で手首を２０度程度回転させた状態に維持すると、１秒当たり３枚のイメージがスクロールされ、手首を４０度程度回転させた状態に維持すると、１秒当たり６枚のイメージがスクロールされ得る。このような命令入力方法を通じて、ユーザは、スクロール速度を調節しながら希望イメージを探索することができる。
【０１９７】
図１５では、イメージのスクロールを中心に説明したが、これは例示的なものであって、スクロールが可能であれば、いずれのディスプレイ項目（例えば、文字メッセージ、住所録、ファイルリスト、通話記録目録など）にも適用することができる。
【０１９８】
図１６は、本発明の一実施例に係る移動端末機においてスクロールが行われる形態の他の一例を示す。図１６では、移動端末機の側面に沿ってタッチセンサが備えられた場合を仮定する。
【０１９９】
図１５の（ａ）のような状況で、図１６の（ａ）のようにユーザが移動端末機の両側面をタッチした状態で手首を回転させる場合、回転が進められることによって、現在表示されるイメージ１６１１とその次の各イメージ１６１２、１６１３が積層された形態で表示され得る。ここで、各イメージは、同一の範疇（例えば、同一の相手と取り交わしたメッセージに添付されたイメージ、同一のアプリケーションで生成されたイメージ、同一の格納空間／位置に格納されたイメージなど）に属する各イメージであってもよく、互いに関連する（例えば、位置、人物、時間などの同一のタグ情報を有する）イメージであってもよい。
【０２００】
タッチ入力が維持された状態で回転入力が感知されると、感知された回転の程度によって図１６の（ｂ）のように積層された各イメージが縦方向に漸次広がりながら互いに連結された（または互いに一定間隔だけ離隔した）形態で表示され得る。
【０２０１】
各イメージが広がった状態では、各イメージが広がった間隔に対応して一般的なフリッキング入力（すなわち、所定距離以内に比較的短く入力されるタッチ−ドラッグ）を通じてスクロールされる各イメージの単位が変更され得る。例えば、各イメージの間に第１の間隔を有するように広がった場合、一回のフリッキングで３枚のイメージがスクロールされ、第１の間隔より狭い第２の間隔を有するように広がった場合、一回のフリッキングで５枚のイメージが一度にスクロールされ得る。
【０２０２】
また、各イメージが広がった状態で表示されるとき、タッチ入力が維持された状態で反対方向の回転入力が感知されると、制御部は、広がった各イメージの回転が進められることによって、再び積層された形態で表示されることもある。
【０２０３】
このように複数のディスプレイ客体が積層状態で順次広がったように見せる方法は、イベントインジケーターにも適用することができる。例えば、図１６の（ｃ）のように３個のイベントが発生することを示すイベントインジケーター１４１１が表示されるとき、ユーザが移動端末機の両側面にタッチを維持した状態で手首を回転させることによって、図１６の（ｄ）のように各イベント情報１６２１〜１６２３が積層された形態で縦方向に広がって表示され得る。一定程度以上に手首が回転すると、結局、図１４の（ｄ）と類似する形態で各イベント情報が互いに重ならず、縦方向に羅列されて表示され得る。
【０２０４】
図１７は、本発明の一実施例に係る移動端末機においてスクロールが行われる形態の更に他の一例を示す。図１７でも、移動端末機の側面に沿ってタッチセンサが備えられた場合を仮定する。
【０２０５】
図１７の（ａ）を参照すると、移動端末機の外周面に沿って複数のメッセージ項目が上下にスクロールされ得るように表示される。このとき、図１７の（ｂ）のようにユーザが移動端末機の側面に沿ってタッチ−ドラッグ命令を入力すると、命令の入力方向に対応するように各メッセージ項目がスクロールされ得る。このとき、ユーザがメッセージ６項目の細部内容を確認しようとする場合、図１７の（ｃ）のように該当の項目が表示される領域１７１０の側面にタッチ入力を一定時間の間維持する場合、または、側面にタッチを維持した状態で回転入力が感知されると、図１７の（ｄ）のように該当の領域が拡張（１７１０'）されながらメッセージ６の細部情報が表示され得る。
【０２０６】
一方、回転によって拡張された領域１７１０'のサイズによってメッセージの情報の一部のみが表示されてから情報全体が漸次表示されてもよく、回転の程度に応じて、図１１のように該当のメッセージが表示される領域が分離されて手首の内側まで移動し、残りのメッセージリストと別個の領域に固定されて表示されてもよい。
【０２０７】
以下では、図１８〜図２３を参照して、本発明の一実施例に係る移動端末機においてプライバシー保護機能が提供される各方法を説明する。
【０２０８】
図１８は、本発明の一実施例に係る移動端末機においてメッセージを確認する方法の一例を示す。
【０２０９】
図１８の左側図面を参照すると、文字メッセージが到着することによって、文字メッセージアイコン１８１０がタッチスクリーン上に表示され得る。このとき、ユーザが該当のアイコン１８１０を選択すると、右側のように受信されたメッセージの詳細内容が表示され得る。ところが、このような方法を通じて文字メッセージの内容を確認すると、隣接した他人に文字メッセージの内容が容易に露出し得る。
【０２１０】
したがって、本実施例では、タッチが維持された状態で回転が感知されると、少なくとも一部の領域が暗く表示されたり、一部の領域のみが明るく表示されるようにすることを提案する。これを、図１９を参照して説明する。
【０２１１】
図１９は、本発明の一実施例に係る移動端末機においてプライバシー保護機能が提供される形態の一例を示す。
【０２１２】
図１９の（ａ）を参照すると、文字メッセージが到着することによって、文字メッセージアイコン１９１０がタッチスクリーン上に表示され得る。このとき、ユーザがタッチスクリーン（または文字メッセージアイコン）にタッチ入力を維持した状態で手首を回転させると、図１９の（ｂ）のように回転の程度によって暗さの程度を示す情報１９２１、１９２３が表示され得る。図１９の（ｂ）では、暗さの程度を示す情報がテキストの形態で示されたが、これは例示的なものであって、回転の程度によって変化する明るさを予め距離別に適用して示すこともできる。
【０２１３】
ユーザは、希望する暗さに対応するように手首を回転させた後、タッチを解除すると、図１９の（ｃ）のようにタッチスクリーン全体が暗く表示されながら文字メッセージの内容が表示され得る。ここで、ユーザがタッチスクリーンの一地点をタッチする場合、該当の地点の周辺領域１９３０のみが明るく表示され、該当の領域のメッセージを容易に確認することができる。明るく表示される領域は、タッチ地点に沿って上下に移動し得る。
【０２１４】
図２０Ａ及び図２０Ｂは、本発明の一実施例に係る移動端末機を通じて文字メッセージを作成する過程でプライバシー保護機能が提供される形態の一例を示す。
【０２１５】
図２０Ａの（ａ）を参照すると、移動端末機において文字メッセージアプリケーションが実行されると、上端には取り交わしたメッセージ内容２０１０が表示され、中間にはメッセージ入力窓２０２０が表示され、下端には仮想キーパッド２０３０が表示され得る。仮想キーパッド２０３０を通じてメッセージを作成すると、図２０Ａの（ｂ）のようにメッセージ入力窓２０２０に作成されたメッセージが表示され、メッセージ入力窓２０２０の右側の「ｓｅｎｄ」ボタンが選択されると、作成されたメッセージが相手に伝送され得る。
【０２１６】
ここで、ユーザがメッセージ内容２０１０及びメッセージ入力窓２０２０において作成されるメッセージを周辺に露出させたくない場合、図２０Ｂの（ａ）のようにタッチスクリーン上へのタッチを維持した状態で手首を回転させると、図２０Ｂの（ｂ）のようにメッセージ内容２０１０及びメッセージ入力窓２０２０が表示される領域が暗くなり得る。図面には示していないが、この過程でも図１９の（ｂ）と同様に暗さの程度が選択され得る。
【０２１７】
もし、ユーザが暗く表示される領域を減少させようとする場合、図２０Ｂの（ｃ）のように暗い領域と明るい領域との境界点から上方向にタッチ−ドラッグ命令を入力すると、図２０Ｂの（ｄ）のように暗く表示される領域が減少し得る。また、タッチ−ドラッグ命令が一定範囲以上入力される場合、暗く表示される領域が消え得る。ユーザが手首を一定回数以上振る場合、暗く表示される領域が一度に消えることもある。
【０２１８】
上述した実施例では、文字メッセージアプリケーションが実行される状況を仮定して説明したが、これは例示的なものであって、本プライバシー保護機能がいずれのアプリケーションにも適用され得ることは当然である。
【０２１９】
次に、図２１〜図２３を参照して、スクロールされ得るリストが表示される状況でプライバシー保護機能が提供される形態を説明する。
【０２２０】
図２１は、本発明の一実施例に係る移動端末機においてスクロール可能なリストが表示されるとき、プライバシー保護機能を呼び出す方法の一例を示す。
【０２２１】
図２１の（ａ）を参照すると、住所録アプリケーションが実行され、移動端末機１００のタッチスクリーン上に各連絡先項目が外周面に沿って羅列されて表示される。このとき、ユーザがタッチ入力を維持した状態で手首を回転させると、図２１の（ｂ）のように最初にタッチされた項目が表示される領域２１１０を除いた残りの領域が暗く表示され得る。
【０２２２】
図２２は、本発明の一実施例に係る移動端末機においてプライバシー保護機能が呼び出された場合に明るく表示される領域のサイズを調節する方法の一例を示す。
【０２２３】
図２２の（ａ）を参照すると、ユーザが明るく表示される領域２２１０の下端の縁部をタッチした状態で下側にドラッグすることができる。それによって、図２２の（ｂ）のように明るい領域が下方向に拡張（２２１０'）され得る。その反対に、図２２の（ｃ）のようにユーザが明るく表示される領域２２１０の上端の縁部をタッチした状態で上側にドラッグすると、図２２の（ｄ）のように明るい領域が上方向に拡張（２２１０'）され得る。ここで、上方に入力されるタッチ−ドラッグ命令が既に設定された範囲を超えて入力される場合、図２２の（ｅ）のように暗い視覚効果が消えることもある。
【０２２４】
図２３は、本発明の一実施例に係る移動端末機においてプライバシー保護機能が呼び出された場合、リストの項目をスクロールする方法の一例を示す。
【０２２５】
図２３の（ａ）のようにプライバシー保護機能が活性化され、一つの項目に該当する領域２３１０のみが明るく表示されるとき、ユーザが手首を回転させると、図２３の（ｂ）のように明るく表示される領域２３１０の位置を維持しながら、リストの各項目のみがスクロールされ得る。これとは異なり、図２３の（ｃ）のようにユーザが明るく表示される領域２３１０をドラッグする場合、図２３の（ｄ）のように各項目がスクロールされながら明るく表示される領域２３１０も共にドラッグ方向に移動し得る。すなわち、図２３の（ｂ）のように手首と共に回転する場合は、ユーザの視点で明るく表示される領域２３１０はその位置に固定されたように見えるが、図２３の（ｄ）のように明るく表示される領域２３１０自体がドラッグされると、リストも図２３の（ｂ）のようにスクロールされながら、ユーザの視点で明るく表示される領域２３１０もドラッグに対応する方向に動くと見なすことができる。
【０２２６】
次に、図２４〜図２６を参照して、本発明に係る移動端末機で行われ得る各付加機能を説明する。
【０２２７】
図２４は、本発明の一実施例に係る移動端末機においてアプリケーションを終了する方法の一例を示す。
【０２２８】
図２４の（ａ）のようにアプリケーションの実行画面２４１０がタッチスクリーン上に表示されるとき、ユーザが実行画面２４１０内で縁部方向にタッチ−ドラッグ命令を入力したり、図２４の（ｂ）のように手の平でタッチスクリーンを覆った状態（すなわち、一定面積以上でタッチ入力が感知される場合）で縁部方向に手の平を動かす場合、該当のアプリケーションが終了し、図２４の（ｃ）のように待機画面２４２０が表示され得る。
【０２２９】
図２５は、本発明の一実施例に係る移動端末機においてお気に入りアプリケーションを実行する方法の一例を示す。
【０２３０】
図２５の（ａ）を参照すると、移動端末機において待機画面２５１０が表示されるとき、待機画面周辺の既に設定された領域に所定時間以上タッチ入力が維持される場合、図２５の（ｂ）のように予めお気に入りアプリケーションとして設定されたアプリケーションに対応するアイコン２５２０が表示され得る。
【０２３１】
ここで、図２５の（ｃ）のようにユーザが該当のアイコン２５２０へのタッチを維持した状態で手首を回転させると、図２５の（ｄ）のように待機画面が表示された領域にアイコンに対応するアプリケーションの実行画面２５３０が表示され得る。もちろん、設定に応じて、待機画面が表示された領域と関係なく、タッチが維持される間、モーションセンサで感知された回転の程度に対応するサイズの領域で該当のアイコンに対応するアプリケーションの実行画面が表示されることもある。
【０２３２】
図２６は、本発明の一実施例に係る移動端末機においてアプリケーションの実行画面に対応するようにコンテンツが生成される形態の一例を示す。
【０２３３】
図２６の（ａ）を参照すると、カメラアプリケーションが実行され、プレビュー画面２５３０が移動端末機のタッチスクリーン上に表示される。このとき、ユーザがプレビュー画面２５３０の下端にタッチ入力を維持した状態で手首を回転させると、図２６の（ｂ）のようにプレビュー画面２５３０'が上下方向に拡張され得る。この場合、図２６の（ａ）のようなプレビュー映像２５３０が表示されるとき、シャッターボタンが操作されると、図２６の（ｃ）のようなイメージ２６１０が撮影され、図２６の（ｂ）のような上下方向に拡張されたプレビュー映像２５３０'が表示されるとき、シャッターボタンが操作されると、図２６の（ｄ）のようなイメージ２６２０が撮影され得る。すなわち、撮影の結果物として生成されるイメージのサイズ及び縦横比（ａｓｐｅｃｔ  ｒａｔｉｏ）は、プレビュー映像のサイズ及び縦横比に対応し得る。
【０２３４】
一方、上述した各命令入力方法の他に、タッチスクリーン上に二つ以上のポインターが接触した状態（すなわち、マルチタッチ状態）で回転命令を入力する方法も考慮することができる。
【０２３５】
一例として、このような方法が図１０に適用される場合、マルチタッチ入力を通じてディスプレイ領域の拡張が開始されると、図１０の（ｂ）のように横方向にドラッグする必要なく、マルチタッチ入力を解除するだけでも拡張された領域を固定させることができる。
【０２３６】
他の例として、このような方法が図１１に適用される場合、マルチタッチ入力を通じてディスプレイ領域の拡張が開始され、回転距離が一定距離以上（ここで、一定距離は、図１１で分離のための距離より短いことが好ましい）になると、図１１の（ｄ）のように既に設定された領域に直ぐ分離されたディスプレイ領域を表示させることもできる。また、図１２のように一つの指でタッチ−ドラッグが行われる状況で各視覚効果１２１０、１２２０が表示されているとき、一つの指をさらにタッチさせると、直ぐ該当の領域が分離されることもある。この場合、以後の回転による二つの指を通じて行われるタッチ−ドラッグ入力は、分離された領域を移動させるための入力として制御部に認識され得る。
【０２３７】
更に他の例として、図１５の（ｃ）のような状況で第１の単位速度でスクロールが行われるとしたとき、マルチタッチが適用されると、それより速いか遅い第２の単位速度でスクロールが行われ得る。ここで、第２の単位速度は、マルチタッチに参加するポインターの個数に比例することもある。
【０２３８】
更に他の例として、図２５の（ａ）のような状況でマルチタッチと回転入力が同時に感知されると、アイコン２５２０の呼び出し過程が省略され、直ぐ図２５の（ｄ）のように該当のアプリケーションの実行画面２５３０を呼び出すことができる。
【０２３９】
更に他の例として、図２６のような状況でマルチタッチと回転入力が同時に感知されると、撮影を開始することができる。このとき、手首の回転により、回転方向に応じてカメラの向かう方向が変更される。これを用いて、手首の回転によって連続的にまたは所定周期や一定回転角度ごとにイメージが撮影されるようにし、一定角度以上回転したり、マルチタッチが解除されると、撮影が終了し得る。それによって、制御部は、撮影された各イメージを連結し、回転方向に広がるパノラマイメージを生成することができる。ここで、撮影周期は、手首の回転速度によって変更可能であり、撮影が開始されると、所定周期または一定回転角度ごとに音響や振動でユーザにフィードバックを与えることもある。
【０２４０】
上述した本発明は、プログラムが記録された媒体にコンピューターで読み取り可能なコードとして具現することが可能である。コンピューターで読み取り可能な媒体は、コンピューターシステムによって読み取り可能なデータが格納されるすべての種類の記録装置を含む。コンピューターで読み取り可能な媒体の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｉｓｋ）、ＳＤＤ（Ｓｉｌｉｃｏｎ  Ｄｉｓｋ  Ｄｒｉｖｅ）、ＲＯＭ、ＲＡＭ、ＣＤ−ＲＯＭ、磁気テープ、フロッピー（登録商標）ディスク、光データ格納装置などがあり、また、キャリアウェーブ（例えば、インターネットを介した伝送）の形態で具現されることも含む。また、前記コンピューターは、端末機の制御部１８０を含んでもよい。したがって、前記の詳細な説明は、すべての面で制限的に解釈されてはならず、例示的なものとして考慮されなければならない。本発明の範囲は、添付の請求項の合理的解釈によって決定されなければならず、本発明の等価的範囲内でのすべての変更は本発明の範囲に含まれる。
【符号の説明】
【０２４１】
１１０    無線通信部
１１１    放送受信モジュール
１１２    移動通信モジュール
１１３    無線インターネットモジュール
１１４    近距離通信モジュール
１１５    位置情報モジュール
１２１    Ａ／Ｖ入力部
１２１    カメラ
１２２    マイク
１２３    ユーザ入力部
１４０    センシング部
１４１    近接センサ
１４２    照度センサ
１５０    出力部
１５１    ディスプレイ部
１５２    音響出力モジュール
１５３    ハプティックモジュール
１５４    光出力部
１６０    インターフェース部
１７０    メモリ
１８０    制御部
１９０    電源供給部
【図１】
0006545569.tif 000002
【図２Ａ】
0006545569.tif 000003
【図２Ｂ】
0006545569.tif 000004
【図２Ｃ】
0006545569.tif 000005
【図２Ｄ】
0006545569.tif 000006
【図２Ｅ】
0006545569.tif 000007
【図２Ｆ】
0006545569.tif 000008
【図２Ｇ】
0006545569.tif 000009
【図３】
0006545569.tif 000010
【図４】
0006545569.tif 000011
【図５】
0006545569.tif 000012
【図６】
0006545569.tif 000013
【図７】
0006545569.tif 000014
【図８Ａ】
0006545569.tif 000015
【図８Ｂ】
0006545569.tif 000016
【図９】
0006545569.tif 000017
【図１０】
0006545569.tif 000018
【図１１】
0006545569.tif 000019
【図１２】
0006545569.tif 000020
【図１３】
0006545569.tif 000021
【図１４】
0006545569.tif 000022
【図１５】
0006545569.tif 000023
【図１６】
0006545569.tif 000024
【図１７】
0006545569.tif 000025
【図１８】
0006545569.tif 000026
【図１９】
0006545569.tif 000027
【図２０Ａ】
0006545569.tif 000028
【図２０Ｂ】
0006545569.tif 000029
【図２１】
0006545569.tif 000030
【図２２】
0006545569.tif 000031
【図２３】
0006545569.tif 000032
【図２４】
0006545569.tif 000033
【図２５】
0006545569.tif 000034
【図２６】
0006545569.tif 000035